(57)【要約】【課題】コンテンツを断続せずにコンテキスト・アウエアネスとしていつでも、どこでも、使用可能なネットセントリックを構築し、そのシステム応用として、在宅者と医療健康管理者間の遠隔情報ネットワークを提供する。【解決手段】図１で破線内に示す情報の変換手段であるカバードサーベランス・エンジン（６００１）と、コンテキスト・アウエアネス・エンジン（４００１）と、コネクショニスト・アフォーダンス・エンジン（５００１）と、セキュリティー・デジタル・フォレンジック・エンジン（２００１）と、プレディクテブ・ビヘイビアー・モディフィケーション・エンジン（９００１）とを技術コア部（１０００）にすることで、コンテンツを断続せずコンテキスト・アウエアネスとして、使用者が個別に活用できるデジタルコンテンツが提供できる。そして、患者への医療行為やヘルスケアーサービスを受ける対象者の健康維持は、予兆の発見と行動変容の遠隔管理を可能とする。【選択図】  図１
2007136010.tif 000002
【特許請求の範囲】
【請求項１】
分散型トポロジー形態のネットワークであるネットセントリックシステムにおいて、
グローバル・インフォメーション・グリッドを介した遠隔通信と、
シェアード・シュチエーション・アウエアネスに基づいて、複数の携帯端末の使用者間で、時間途切れなく継続的に情報共有を成すことを特徴とするネットセントリックシステム。  
【請求項２】
グローバル・インフォメーション・グリッドと連携するカバードサーベランス・エンジンであって、前記カバードサーベランス・エンジンがコンテキスト・アウエアネス・エンジンとコネクショニスト・アフォーダンス・エンジン並びにプレディクテブ・ビヘイビアー・モディフィケーション・エンジンと連携して、更にセキュリティー・デジタル・フォレンジック・エンジンを含む請求項１記載のネットセントリックシステム。
【請求項３】
情報の記録手段として球体垂直磁化膜記憶部を有する請求項２記載のネットセントリックシステム。
【請求項４】
３６０度ウエブカメラと６分割折り紙フルカラープリンタと６分割ディスプレイ式携帯端末装置のうち、少なくともいずれか一つを情報の入力部あるいは出力部とする請求項３記載のネットセントリックシステム。
【請求項５】
在宅の対象者自身の医療情報あるいは健康管理情報と、前記対象者に医療情報あるいは健康管理情報を提供する医療健康管理者との遠隔情報ネットワークにおいて、
カバードサーベランス・エンジンが、コンテキスト・アウエアネス・エンジンと、コネクショニスト・アフォーダンス・エンジン並びにプレディクテブ・ビヘイビアー・モディフィケーション・エンジンと連携して、更にセキュリティー・デジタル・フォレンジック・エンジンを介して前記医療情報あるいは前記健康管理情報を変換して、
前記在宅の対象者と前記医療健康管理者との間で在宅医療情報あるいは健康予防管理情報を送達する在宅医療と健康管理システムに適用したことを特徴とするネットセントリックシステム。
【請求項６】
前記在宅医療情報あるいは前記健康予防管理情報の記録手段として、球体垂直磁化膜記憶部を有する請求項５記載のネットセントリックシステム。
【請求項７】
前記在宅医療情報あるいは前記健康予防管理情報の表示手段として、３６０度ウエブカメラと６分割折り紙フルカラープリンタと６分割ディスプレイ式携帯端末装置のうち、少なくともいずれか一つを情報の入力部あるいは出力部とする請求項６記載のネットセントリックシステム。
【請求項８】
グローバル・インフォメーション・グリッドとの通信プロトコルのエリアである第１記憶部と、他のカバードサーベランス・エンジンとの通信プロトコルのエリアである第２記憶部と、コンテキスト・アウエアネス・エンジンとの通信プロトコルのエリアである第３記憶部と、コネクショニスト・アフォーダンス・エンジンとの通信プロトコルのエリアである第４記憶部と、プレディクテブ・ビヘイビアー・モディフィケーション・エンジンとの通信プロトコルのエリアである第５記憶部と、入出力端末との通信プロトコルのエリアである第６記憶部とを備え、
前記グローバル・インフォメーション・グリッドとの通信フラグを付与する第１フラグポイントと、前記他のカバードサーベランス・エンジンとの通信フラグを付与する第２フラグポイントと、前記コンテキスト・アウエアネス・エンジンとの通信フラグを付与する第３フラグポイントと、前記コネクショニスト・アフォーダンス・エンジンとの通信フラグを付与する第４フラグポイントと、前記プレディクテブ・ビヘイビアー・モディフィケーション・エンジンとの通信フラグを付与する第５フラグポイントと、前記入出力端末との通信フラグを付与する第６フラグポイントと、前記第１フラグポイント乃至前記第６フラグポイント間にまたがって処理する情報に通信フラグを付与する第０フラグポイントと、
を有して構成するカバードサーベランス・エンジンであって、
前記カバードサーベランス・エンジンが、前記グローバル・インフォメーション・グリッドとコンテキスト・アウエアネス・エンジンと前記コネクショニスト・アフォーダンス・エンジンと前記プレディクテブ・ビヘイビアー・モディフィケーション・エンジンとの何れとも連携してネットセントリックシステムを構成することを特徴とするカバードサーベランス・エンジン。
【請求項９】
セキュリティー・デジタル・フォレンジック・エンジンとの通信プロトコルのエリアである第１記憶部と、カバードサーベランス・エンジンとの通信プロトコルのエリアである第２記憶部と、他のコンテキスト・アウエアネス・エンジンとの通信プロトコルのエリアである第３記憶部と、コネクショニスト・アフォーダンス・エンジンとの通信プロトコルのエリアである第４記憶部と、プレディクテブ・ビヘイビアー・モディフィケーション・エンジンとの通信プロトコルのエリアである第５記憶部と、入出力端末との通信プロトコルのエリアである第６記憶部とを備え、
前記セキュリティー・デジタル・フォレンジック・エンジンとの通信フラグを付与する第１フラグポイントと、前記カバードサーベランス・エンジンとの通信フラグを付与する第２フラグポイントと、前記他のコンテキスト・アウエアネス・エンジンとの通信フラグを付与する第３フラグポイントと、前記コネクショニスト・アフォーダンス・エンジンとの通信フラグを付与する第４フラグポイントと、前記プレディクテブ・ビヘイビアー・モディフィケーション・エンジンとの通信フラグを付与する第５フラグポイントと、前記入出力端末との通信フラグを付与する第６フラグポイントと、前記第１フラグポイント乃至前記第６フラグポイント間にまたがって処理する情報に通信フラグを付与する第０フラグポイントと、
を有して構成するコンテキスト・アウエアネス・エンジンであって、
前記コンテキスト・アウエアネス・エンジンが、グローバル・インフォメーション・グリッドと連携するカバードサーベランス・エンジンにコネクショニスト・アフォーダンス・エンジンとプレディクテブ・ビヘイビアー・モディフィケーション・エンジンと共に連携して、更にセキュリティー・デジタル・フォレンジック・エンジンを含み、ネットセントリックシステムを構成することを特徴とするコンテキスト・アウエアネス・エンジン。
【請求項１０】
セキュリティー・デジタル・フォレンジック・エンジンとの通信プロトコルのエリアである第１記憶部と、カバードサーベランス・エンジンとの通信プロトコルのエリアである第３記憶部と、コンテキスト・アウエアネス・エンジンとの通信プロトコルのエリアである第２記憶部と、他のコネクショニスト・アフォーダンス・エンジンとの通信プロトコルのエリアである第４記憶部と、プレディクテブ・ビヘイビアー・モディフィケーション・エンジンとの通信プロトコルのエリアである第５記憶部と、入出力端末との通信プロトコルのエリアである第６記憶部とを備え、
前記セキュリティー・デジタル・フォレンジック・エンジンとの通信フラグを付与する第１フラグポイントと、前記カバードサーベランス・エンジンとの通信フラグを付与する第２フラグポイントと、前記コンテキスト・アウエアネス・エンジンとの通信フラグを付与する第３フラグポイントと、前記他のコネクショニスト・アフォーダンス・エンジンとの通信フラグを付与する第４フラグポイントと、前記プレディクテブ・ビヘイビアー・モディフィケーション・エンジンとの通信フラグを付与する第５フラグポイントと、前記入出力端末との通信フラグを付与する第６フラグポイントと、前記第１フラグポイント乃至前記第６フラグポイント間にまたがって処理する情報に通信フラグを付与する第０フラグポイントと、
を有して構成するコネクショニスト・アフォーダンス・エンジンであって、
前記コネクショニスト・アフォーダンス・エンジンが、グローバル・インフォメーション・グリッドと連携するカバードサーベランス・エンジンに、コンテキスト・アウエアネス・エンジンとプレディクテブ・ビヘイビアー・モディフィケーション・エンジンと共に連携して、更にセキュリティー・デジタル・フォレンジック・エンジンと連携することを含み、ネットセントリックシステムを構成することを特徴とするコネクショニスト・アフォーダンス・エンジン。
【請求項１１】
他のセキュリティー・デジタル・フォレンジック・エンジンの通信プロトコルのエリアである第１記憶部と、従来からある既存データベースと現実世界コンテンツ入力操作部との通信プロトコルのエリアである第２記憶部と、コンテキスト・アウエアネス・エンジンとの通信プロトコルのエリアである第３記憶部と、コネクショニスト・アフォーダンス・エンジンとの通信プロトコルのエリアである第４記憶部と、強いセキュリティー処理を行うエリアである第５記憶部と、弱いセキュリティー処理を行うエリアである第６記憶部とを備え、
前記他のセキュリティー・デジタル・フォレンジック・エンジンとの通信フラグを付与する第１フラグポイントと、前記現実世界コンテンツ入力操作部並びに既存データベースとの通信フラグを付与する第２フラグポイントと、前記コンテキスト・アウエアネス・エンジンとの通信フラグを付与する第３フラグポイントと、前記コネクショニスト・アフォーダンス・エンジンとの通信フラグを付与する第４フラグポイントと、前記強いセキュリティー処理フラグを付与する第５フラグポイントと、前記弱いセキュリティー処理フラグを付与する第６フラグポイントと、前記第１フラグポイント乃至前記第６フラグポイント間にまたがって処理する情報に通信フラグを付与する第０フラグポイントと、を有して構成するセキュリティー・デジタル・フォレンジック・エンジンであって、
前記セキュリティー・デジタル・フォレンジック・エンジンが、グローバル・インフォメーション・グリッドとの送受信部であるカバードサーベランス・エンジンに通信するコンテキスト・アウエアネス・エンジンとコネクショニスト・アフォーダンス・エンジンとに連携してネットセントリックシステムを構成することを特徴とするセキュリティー・デジタル・フォレンジック・エンジン。
【請求項１２】
他のプレディクテブ・ビヘイビアー・モディフィケーション・エンジンの通信プロトコルのエリアである第１記憶部と、カバードサーベランス・エンジンとの通信プロトコルのエリアである第２記憶部と、コンテキスト・アウエアネス・エンジンとの通信プロトコルのエリアである第３記憶部と、コネクショニスト・アフォーダンス・エンジンとの通信プロトコルのエリアである第４記憶部と、予兆の発見処理を行うエリアである第５記憶部と、行動変容処理を行うエリアである第６記憶部を備え、
前記他のプレディクテブ・ビヘイビアー・モディフィケーション・エンジンとの通信フラグを付与する第１フラグポイントと、前記カバードサーベランス・エンジンとの通信フラグを付与する第２フラグポイントと、前記コンテキスト・アウエアネス・エンジンとの通信フラグを付与する第３フラグポイントと、前記コネクショニスト・アフォーダンス・エンジンとの通信フラグを付与する第４フラグポイントと、予兆の発見処理フラグを付与する第５フラグポイントと、行動変容処理フラグを付与する第６フラグポイントと、前記第１フラグポイント乃至前記第６フラグポイント間にまたがって処理する情報に通信フラグを付与する第０フラグポイントとを有して構成するプレディクテブ・ビヘイビアー・モディフィケーション・エンジンであって、
プレディクテブ・ビヘイビアー・モディフィケーション・エンジンが、グローバル・インフォメーション・グリッドと連携するカバードサーベランス・エンジンにコンテキスト・アウエアネス・エンジンとコネクショニスト・アフォーダンス・エンジンと共に連携してネットセントリックシステムを構成することを特徴とするプレディクテブ・ビヘイビアー・モディフィケーション・エンジン。
【請求項１３】
６面立方体の筐体内において、垂直磁化膜を球体状に積層してあり、前記積層した垂直磁化膜の最外周膜部にセキュリティー・デジタル・フォレンジック・エンジンで定めた強いセキュリティー処理をされたデータを記録して、前記積層した垂直磁化膜の最内周膜部に前記セキュリティー・デジタル・フォレンジック・エンジンで定めた弱いセキュリティー処理をされたデータを記録する球体垂直磁化膜記憶装置であって、
前記球体垂直磁化膜記憶装置が、グローバル・インフォメーション・グリッドとカバードサーベランス・エンジンとコンテキスト・アウエアネス・エンジンとコネクショニスト・アフォーダンス・エンジン並びにプレディクテブ・ビヘイビアー・モディフィケーション・エンジンとの連携で構成されるネットセントリックシステムに組み込むことを特徴とする球体垂直磁化膜記憶装置。
【請求項１４】
カバードサーベランスエンジンとの交信部と、３６０度視覚が可能なカメラと、聴覚機能を有し、前記カメラと前記聴覚機能で検出したリアルコンテンツをカバードサーベランス・エンジンを経由して、コネクショニスト・アフォーダンス・エンジンと常に交信する３６０度ウエブカメラ付ロボットであって、
前記３６０度ウエブカメラ付ロボットが、グローバル・インフォメーション・グリッドとカバードサーベランス・エンジンとコンテキスト・アウエアネス・エンジンとコネクショニスト・アフォーダンス・エンジンとプレディクテブ・ビヘイビアー・モディフィケーション・エンジンと球体垂直磁化膜記憶装置との連携で構成されるネットセントリックシステムに組み込むことを特徴とする３６０度ウエブカメラ付ロボット。
【請求項１５】
印刷部と、プリンタの紙の挿入口と、アウトプット部と、制御コントロール部とを有し、
６分割に折りたたんである紙を前記挿入口から挿入され、前記印刷部で折り畳んだ状態の紙から元の開いた状態の紙に戻して印刷する６分割折り紙プリンタであって、
前記６分割折り紙プリンタが、グローバル・インフォメーション・グリッドとカバードサーベランス・エンジンとコンテキスト・アウエアネス・エンジンとコネクショニスト・アフォーダンス・エンジンとプレディクテブ・ビヘイビアー・モディフィケーション・エンジンと球体垂直磁化膜記憶装置との連携で構成されるネットセントリックシステムに組み込むことを特徴とする６分割折り紙フルカラープリンタ。
【請求項１６】
カバードサーベランス・エンジンとの交信に必要な内蔵するプロトコルと、操作部と、簡易表示部と、３６０度ウエブカメラロボットとの交信をする送受信部及びカメラと、６分割ディスプレイ本体を折り畳む状態で収納する収納部と、メモリーユニットを内蔵する送受信部本体と、前記６分割ディスプレイ本体を送受信部本体から引出して６分割ディスプレイを表示する携帯端末装置であって、
前記携帯端末装置が、グローバル・インフォメーション・グリッドとカバードサーベランス・エンジンとコンテキスト・アウエアネス・エンジンとコネクショニスト・アフォーダンス・エンジンとセキュリティー・デジタル・フォレンジック・エンジンと、プレディクテブ・ビヘイビアー・モディフィケーション・エンジンと球体垂直磁化膜記憶装置との連携で構成されるネットセントリックシステムに組み込むことを特徴とする６分割ディスプレイ式携帯端末装置。
【請求項１７】
前記在宅の対象者と前記医療健康管理者との間で在宅医療情報あるいは健康予防管理情報を送達する在宅医療と健康管理システムに適用した前記ネットセントリックシステムを構成する請求項８記載のカバードサーベランス・エンジン。
【請求項１８】
前記在宅の対象者と前記医療健康管理者との間で在宅医療情報あるいは健康予防管理情報を送達する在宅医療と健康管理システムに適用した前記ネットセントリックシステムを構成する請求項９記載のコンテキスト・アウエアネス・エンジン。
【請求項１９】
前記在宅の対象者と前記医療健康管理者との間で在宅医療情報あるいは健康予防管理情報を送達する在宅医療と健康管理システムに適用した前記ネットセントリックシステムを構成する請求項１０記載のコネクショニスト・アフォーダンス・エンジン。
【請求項２０】
前記在宅の対象者と前記医療健康管理者との間で在宅医療情報あるいは健康予防管理情報を送達する在宅医療と健康管理システムに適用した前記ネットセントリックシステムを構成する請求項１１記載のセキュリティー・デジタル・フォレンジック・エンジン。
【請求項２１】
前記在宅の対象者と前記医療健康管理者との間で在宅医療情報あるいは健康予防管理情報を送達する在宅医療と健康管理システムに適用した前記ネットセントリックシステムを構成する請求項１２記載のプレディクテブ・ビヘイビアー・モディフィケーション・エンジン。
【請求項２２】
前記在宅の対象者と前記医療健康管理者との間で在宅医療情報あるいは健康予防管理情報を送達する在宅医療と健康管理システムに適用した前記ネットセントリックシステムを構成する請求項１３記載の球体垂直磁化膜記憶装置。
【請求項２３】
前記在宅の対象者と前記医療健康管理者との間で在宅医療情報あるいは健康予防管理情報を送達する在宅医療と健康管理システムに適用した前記ネットセントリックシステムを構成する請求項１４記載の３６０度ウエブカメラ付ロボット。
【請求項２４】
前記在宅の対象者と前記医療健康管理者との間で在宅医療情報あるいは健康予防管理情報を送達する在宅医療と健康管理システムに適用した前記ネットセントリックシステムを構成する請求項１５記載の６分割折り紙フルカラープリンタ。
【請求項２５】
前記在宅の対象者と前記医療健康管理者との間で在宅医療情報あるいは健康予防管理情報を送達する在宅医療と健康管理システムに適用した前記ネットセントリックシステムを構成する請求項１６記載の６分割ディスプレイ式携帯端末装置。
【請求項２６】
カバードサーベランスのステップと、
コンテキスト・アウエアネスのステップと、
コネクショニスト・アフォーダンスのステップと、
セキュリティー・デジタル・フォレンジックのステップと、
プレディクテブ・ビヘイビアー・モディフィケーションのステップと、
を有しており、
前記カバードサーベランスのステップが前記コンテキスト・アウエアネスのステップと前記コネクショニスト・アフォーダンスのステップと前記プレディクテブ・ビヘイビアー・モディフィケーションのステップと連携すると共に、前記コンテキスト・アウエアネスのステップと前記コネクショニスト・アフォーダンスのステップに前記セキュリティー・デジタル・フォレンジックのステップを更に連携することを特徴とするネットセントリックの方法。
【請求項２７】
前記カバードサーベランスのステップと、前記コンテキスト・アウエアネスのステップと、前記コネクショニスト・アフォーダンスのステップと、プレディクテブ・ビヘイビアー・モディフィケーションのステップとを球体垂直磁化膜記憶部に記録するステップを更に有する請求項２６記載のネットセントリックの方法。
【請求項２８】
３６０度ウエブカメラと６分割折り紙フルカラープリンタと６分割ディスプレイ式携帯端末装置のうち、少なくともいずれか一つを情報の入力ステップあるいは出力ステップとする請求項２７記載のネットセントリックの方法。
【請求項２９】
在宅の対象者に対する医療情報あるいは健康管理情報と、前記対象者に医療情報あるいは健康管理情報を提供する医療健康管理者との間の情報処理において、
カバードサーベランスのステップと、
コンテキスト・アウエアネスのステップと、
コネクショニスト・アフォーダンスのステップと、
セキュリティー・デジタル・フォレンジックのステップと、
プレディクテブ・ビヘイビアー・モディフィケーションのステップと、
を有しており、
前記カバードサーベランスのステップが前記コンテキスト・アウエアネスのステップと前記コネクショニスト・アフォーダンスのステップと前記プレディクテブ・ビヘイビアー・モディフィケーションのステップと連携すると共に、前記コンテキスト・アウエアネスのステップと前記コネクショニスト・アフォーダンスのステップに前記セキュリティー・デジタル・フォレンジックのステップを更に連携することを特徴とするネットセントリックの方法。
【請求項３０】
前記カバードサーベランスのステップと、前記コンテキスト・アウエアネスのステップと、前記コネクショニスト・アフォーダンスのステップとプレディクテブ・ビヘイビアー・モディフィケーションのステップとを球体垂直磁化膜記憶部に記録するステップを更に有する請求項２９記載のネットセントリックの方法。
【請求項３１】
３６０度ウエブカメラと６分割折り紙フルカラープリンタと６分割ディスプレイ式携帯端末装置のうち、少なくともいずれか一つを情報の入力ステップあるいは出力ステップとする請求項３０記載のネットセントリックの方法。
【発明の詳細な説明】
【技術分野】
【０００１】
本発明は、分散型トポロジー形態のネットワークであるネットセントリックシステム（Network Centric Solution System）を介した遠隔通信に関する。特に、複数の関係者の合意による意思決定や合議による活動指示を、異種プラットホーム間であっても時間途切れなく継続的にコンテンツの通信を遂行するシステム形態と、その応用として医療及び健康促進等のヘルスケアサービスに寄与するシステムに関する。
【背景技術】
【０００２】
近年、生活習慣病者やその傾向を持つ人の増加に対して、病気予防や健康管理の重要性が叫ばれ人々の健康意識も高まりつつある。そして、医療技術の高度化に伴い専門分野毎に医師が特化されつつあるので、医療行為にしても医療情報の取得にしても多くの医師や医療専門家が、患者本人あるいは医療スタッフと遠隔地間であっても関連する個人情報のやりとりが頻繁になり更に複雑な情報授受になっている。また、生活習慣病の改善や予防の点から健康管理技術は細密化され、より多くに生活環境も含めた情報が当事者である患者と、医師、健康管理ケア者、看護婦、栄養士、衛生士、薬剤師の間で綿密にやりとりすることが社会的ニーズとして高まりつつある。さらに近年では、心臓等の人工内臓や薬剤供給源埋め込み医療デバイスが患者体内に内蔵されて、その経過データを継続的に収集し医者や医療専門家にチェックを受けることが恒常化されている。この場合患者は定期的に専門家を訪ねる必要があるが、インターネットを利用して管理されることが患者への負担を軽減する上で望ましい。
【０００３】
そのような観点から、従来より医療あるいは健康管理情報をコンピュータを利用して行う手段が提案されている。例えば、特許文献１（特開２００４−５２６４６６号公報、医療装置システムにより実施される遠隔患者管理ネットワークシステム）と、特許文献２（特開２００４−５２９４４６号公報、遠隔医療的なヘルスケアサービスの監視方法）と、特許文献３（特表２００２−５１１９６５号公報、遠隔医療）と特許文献４（特表２００１−５１６９３０号公報、中央監視局と遠隔患者監視局間で情報通信を行うパケットベース遠隔医療システム）が上げられる。
【０００４】
特許文献１の技術は、遠隔医療装置を用いた患者のデータベースネットワークから、読みとった生理的情報をデータベースネットワークサイトでほぼ継続的に受信するステップと、データベースネットワークサイトが、ウェブに対応した少なくとも１つのウェブサイトと通信することを可能にし、且つデータベースからの第１のデータ入力の表現へのアクセスを要求する、ウェブサイトが発信した信号を受信することを可能にするステップと、サービスの収益を算出するためにデータパッケージを監視するステップとで構成した遠隔患者管理ネットワークシステムである。
【０００５】
特許文献２の技術は、２つの医療関連サービス施設に配置した医学的データを取得及び評価する複数の人の働きを自動的に監視するために一つのデータ処理中央装置を設けてあり、医学的なデータを取得する人が取得した医学的データの数とそのデータを評価する人より評価された医学的データの数を求め、そのデータの内容を求めるステップと、それぞれのデータの設定値と比較するステップと、データを評価する人が評価するステップとをその一つのデータ処理中央装置で行うよう遠隔医療ヘルスケアサービスを行う方法である。
【０００６】
特許文献３の技術は、非侵襲性検査の患者データをＣＰＵで集め、医師と薬局と医学アドバイザーと医療品販売業者と医療研究所と公衆衛生機関の間を、世界通信ネットワークを利用したコンピューターシステムによって自動検査して報告を行い、その検査結果および患者プロフィール病歴を、このネットワークを介して、疾患と治療法とケアプランと栄養サプリメントと薬剤のデータベースを提供するシステムの概念を提示している。
【０００７】
特許文献４の技術は、特許文献３の技術をより拡張して、中央監視局と遠隔地の患者監視局間において、映像、音声、および医療データを伝送するパケットに編成した情報ベースにした遠隔医療システムを提供するものであって、ネットワークとしてＣＡＴＶネットワーク、公衆交換電話網（ＰＳＴＮ）、総合デジタル通信網（ＩＳＤＮ）、インターネット、ローカルエリアネットワーク（ＬＡＮ）、広域通信網（ＷＡＮ）、無線通信網、非同期転送モード（ＡＴＭ）ネットワークを利用して、受信側でそのパケットから情報を取り出す概念が開示されている。
【０００８】
上記特許文献１〜４では患者から得たデータに基づいた処置を、ネットワークを介して遠隔地の医療関係者が情報を得る、あるいは指導する目的に有効である。ところで近年、生活習慣病の予防意識を人々が持つが増えており、このような人々に対して積極的な指導をすることが望まれている。この点で開示された技術を見ると、特許文献５（特開２００４−１３９４４１号公報、健康支援装置）と、特許文献６（特開２００４−１４５５０７号公報、インフォームドコンセントをベースにした患者教育プログラムの実行支援方法、コンピュータプログラム、コンピュータプログラム用記録媒体）が挙げられる。
【０００９】
特許文献５の技術は、質問設定手段、質問設定手段が出力した質問を表示する第一の表示手段、この表示手段に表示された質問に対してユーザが回答を入力する入力手段、この入力された回答を記憶する回答記憶手段、質問設定手段に記憶されている質問と回答記憶手段に記憶されている回答を蓄積した上で、一定の周期毎に結果分析する分析手段、この分析結果を表示する第二の表示手段から構成されたネットワークであって、特に、健康管理支援を行う上で、データの集計結果からユーザの行動変容をカテゴリ別に分析とアドバイスを行う概念が開示されている。
【００１０】
特許文献６の技術は、インフォームドコンセントをベースにして患者の行動変容 を促すための患者教育プログラムに基く治療の実行を支援する方法であって、患者療養プログラムで実行可能な複数の実施項目についての患者教育資料を記録したＣＤ−ＲＯＭを各病院に提供し、病院の医療チームは自己の医学的見地及び資源配分の方針に従ってこれらの実施項目を取捨選択することにより医療従事者カスタム化患者教育プログラムを作成し、また患者の疾患症状に合わせてこの医療従事者カスタム化患者教育プログラムの実施項目から取捨選択することにより、患者カスタム化患者教育プログラムの概念が開示されている。
【００１１】
前記特許文献５と特許文献６の技術は、いずれもユーザの行動変容に着目した点で前記特許文献１〜４の技術を近年の社会的ニーズにより近づけるものである。しかしながら、近年のネットワークシステムは多種多様なプラットホームであって、前記特許文献１〜６の技術を包含するとしても、より効果的なシステム運用を具体的な構成として提供できていない。より述べれば各地のユーザすなわち医療関係者は、さらに患者あるいは健康維持を望むユーザもそれぞれ異なるプラットホームを使用しており、そしてヘルスケアデータ情報のやりとりはリアルタイムで且つ連続的に継続することが必要である。グローバルシステムで多種通信システムの時間的連続性を持つ情報変換手段としては、特許文献７（特表２００３−５２６８３３号公報、グローバル時間同期システム、装置および方法）が挙げられるが、株取引に好適な方法であって医療分野に適するものでない。
【００１２】
遠隔地の医療関係者と患者の間にある多種のネットワークを適切に選択することは、時間的連続性を実現する上で最も重要なことであり、ユーザが時間的空間的な共通次元でコンテキストアウエアネス（Context Awareness, CA）を利用する必要がある。このネットワークのコンテキストアウエアネスを用いる技術としては、特許文献８（特表２００５−５３２７５９号公報、複数のネットワークからのインタフェースの選択）が挙げられるが、ネットワーク選択のインタフェース部分にのみ限る技術であり、医療情報内容、情報の種類まで含めたコンテキストアウエアネスまでの深化を与えていない。このアウエアネスレベルへの技術深化には、ニューラルネットが必要となる。
【００１３】
ニューラルネットの例としては、特許文献９（特開２００５−１９９４０３号公報、情動認識装置及び方法）が挙げられる。この技術はコンテキストを考慮して学習した予想情動変化データベースを参照して、行動実行後に変化するとされる予想情動変化を求め、行動前における推定結果から予測情動を出力する情動予測装置と、推定情動と予測情動を、予測情動の時間的な減衰を考慮したパラメータにより融合して最終的な推定情動を出力する情動統合部とを有す構成にして、コンテキスト を考慮することで認識対象の情動の状態を安定的に推定するニューラルネットを応用した予兆の発見を狙ったものであるが、対象物としてロボット装置の学習装置であり医療分野にそぐわない。
【００１４】
なお、予兆の発見にニューラルネットを利用した技術も見られる。例えば特許文献１０（特開２００５−９２６８１号公報、確率モデル生成装置及び確率モデル生成プログラム）である。この技術は、予め蓄積された学習データを用いて最大エントロピー法による確率モデルの生成を行う確率モデル生成装置で、学習データを２つの出力値を持つデータに変換する変換手段と、２つの出力値を持つデータに変換された学習データを用いてサポートベクターマシンにより学習し、学習結果として得られるサポートベクターと、各サポートベクターに対応する重みとを取得してモデルを生成するモデル生成手段と、サポートベクターの属性の組み合わせを生成して、同一属性の組み合わせの重みを加算し、加算された重みに基づいて属性の組合わせを抽出する属性抽出手段と、属性抽出手段により得られる属性の組合わせに基づいた素性関数生成手段とを構成することで確率モデルを生成する方法であるが、医療分野の行動変容への適用が可能なようにより深化させる必要がある。
【００１５】
この行動変容を促す手法としてアフォーダンス技術が有用である。アフォーダンス技術を開示した従来技術としては特許文献１１（特表２００２−５２０６９５、適応性及び信頼性のあるオペレーション・マネージメントのためのシステム及び方法）と、特許文献１２（特開２００４−１８８５３３、対象物の取扱い推定方法および取扱い推定装置）と、特許文献１３（特開２００５−１０５２、人間の意図の認識による人工物の自律的な移動制御方法及びその通信システム並びにプログラム）と、特許文献１４（特開２００５−２０９０２２、コミュニケーション方法および装置、システムデザイン方法及び装置、ならびにこれらの方法を実行するためのプログラムおよび記録媒体）がある。
【００１６】
特許文献１１の技術は、工場内のオペレーションマネージメントのために、テクノロジーグラフ、ランドスケープ表示の構成でジョブショップのスケジューリング、サプライチェーンのマネージメントデザインを動的に行うようにして、環境変化に対応してその適応性を向上させるシステムである。
【００１７】
特許文献１２の技術は、物体の形状から対象物体の把持態様と軸方向とに基づいて、対象物体の操作方向の優先順位を定めてアフォーダンス知識モデル記憶手段に記憶しておき、対象物体を撮影して得られた画像を操作生成手段で予め定めた優先順位に参照して、対象物体の把持態様および操作方向といった対象物の取扱いを推定する方法である。
【００１８】
特許文献１３の技術は、対象者のアフォーダンスに基づいた推論・検索を自律移動制御システムによって、人工物体の選択と位置制御を行い、その対象者の位置に人工物体を自律的に移動させる方法である。
【００１９】
特許文献１４の技術は、送信側に、入力された知覚情報中での発信者のアフォーダンスの有無とそれが正しいものかどうかを判定するアフォーダンス定性分析部と、効果判定するアフォーダンス定量分析部と、アフォーダンス生成のアフォーダンス生成部と、アフォーダンス強調のアフォーダンス強調部と、そのアフォーダンスを知覚情報に変換する知覚情報化部を構成してあり、一方、受信側に、興味対象の知覚情報選択をする知覚情報選択部と、アフォーダンス分析部と、アフォーダンス推定部を構成することで、アフォーダンスの利用によって、効率的なコミュニケーションを行なう方法である。
【００２０】
特許文献１１〜特許文献１３は、いずれも物体の移動や工場内のオペレーションを目的としたものであり、医療分野で必須であるコミュニケーションのアフォーダンスとしてそぐわない。そして特許文献１４はコミュニケーションのアフォーダンスであるが、遠隔医療分野に適用可能なように、コンテキスト・アウエアネスとの連携まで深めていない。このように従来のアフォーダンスやアウエアネスは、事実としてのリアルコンテンツを定量化したデジタルコンテンツとして扱い、さらに予兆の発見や行動変容まで考慮したシステムを提供していない。
【００２１】
【特許文献１】特開２００４−５２６４６６号公報
【特許文献２】特開２００４−５２９４４６号公報
【特許文献３】特表２００２−５１１９６５公報
【特許文献４】特表２００１−５１６９３０号公報
【特許文献５】特開２００４−１３９４４１号公報
【特許文献６】特開２００４−１４５５０７号公報
【特許文献７】特表２００３−５２６８３３号公報
【特許文献８】特表２００５−５３２７５９号公報、
【特許文献９】特開２００５−１９９４０３号公報
【特許文献１０】特開２００５−９２６８１号公報、
【特許文献１１】特表２００２−５２０６９５号公報、
【特許文献１２】特開２００４−１８８５３３号公報、
【特許文献１３】特開２００５−１０５２号公報、
【特許文献１４】特開２００５−２０９０２２号公報、
【発明の開示】
【発明が解決しようとする課題】
【００２２】
在宅医療及び在宅での健康促進ヘルスケアサービスにおいて、本来であれば医者、看護士、栄養士等が患者等の対象者に自ら接して適切な処置やアドバイスを行うべきであるが、遠隔地の対象者では、その実施が難しい。この問題の解決手段としてネットセントリックが望まれる。本発明の第１の課題は、リアルコンテンツをいつでも、どこでも継続性のあるデジタルコンテンツとして扱い得るネットワークシステムを提供して、医療分野へ適用することが可能なネットセントリックを構築する必要がある。本発明の第２の課題は、第１の課題で提供したネットセントリックシステムが遠隔医療分野でも好適に機能することを明らかにして、そのシステムを提供する必要がある。    
【課題を解決するための手段】
【００２３】
請求項１のシステムは、分散型トポロジー形態のネットワークであるネットセントリックシステムにおいて、グローバル・インフォメーション・グリッドを介した遠隔通信と、シェアード・シュチエーション・アウエアネスに基づいて、複数の携帯端末の使用者間で、時間途切れなく継続的に情報共有を成すネットセントリックを提供するシステムである。  
【００２４】
請求項２のシステムは、本発明のネットセントリックシステムである請求項１に加えるに、グローバル・インフォメーション・グリッド（１１０１）と連携するカバードサーベランス・エンジン（６００１）であって、前記カバードサーベランス・エンジン（６００１）がコンテキスト・アウエアネス・エンジン（４００１）とコネクショニスト・アフォーダンス・エンジン（５００１）並びにプレディクテブ・ビヘイビアー・モディフィケーション・エンジン（９００１）と連携して、更にセキュリティー・デジタル・フォレンジック・エンジン（２００１）を含むネットセントリックシステムである。この請求項２のシステムによって、請求項１のシステムをより具体的なネットセントリックシステムにして提供できる。
【００２５】
請求項３のシステムは、本発明のネットセントリックシステムである請求項１に加えるに、実質的に情報の記録手段として球体垂直磁化膜外部記憶部（７０）を有する構成である。この請求項３のシステムによって、請求項２のシステムをより高度なネットセントリックシステムにして提供できる。
【００２６】
請求項４のシステムは、本発明のネットセントリックシステムに情報の記録手段を含めた請求項３を加えるに、更に、３６０度ウエブカメラ付ロボット（８０００）と６分割折り紙フルカラープリンタ（８６００）と６分割ディスプレイ式携帯端末装置（８３００）のうち、少なくともいずれか一つを情報の入力部あるいは出力部を有する構成である。この請求項４のシステムによって、請求項２のシステムをより実用的なネットセントリックシステムにして提供できる。
【００２７】
請求項５のシステムは、在宅の対象者自身の医療情報あるいは健康管理情報と、前記対象者に医療情報あるいは健康管理情報を提供する医療健康管理者との遠隔情報ネットワークにおいて、カバードサーベランス・エンジン（６００１）と、コンテキスト・アウエアネス・エンジン（４００１）と、コネクショニスト・アフォーダンス・エンジン（５００１）並びにプレディクテブ・ビヘイビアー・モディフィケーション・エンジン（９００１）と連携して、更にセキュリティー・デジタル・フォレンジック・エンジンを介して前記医療情報あるいは前記健康管理情報を変換して、前記在宅の対象者と前記医療健康管理者との間で在宅医療情報あるいは健康予防管理情報を送達する在宅医療と健康管理システムに適用したことを特徴とするネットセントリックシステムである。この請求項５のシステムによって、より明確に遠隔医療分野で好適に機能するネットセントリックシステムを提供できる。在宅医療においてもっとも大切な医療行為は、患者と医師との生の対話といわれるナラティブメディシンである。ナラティブメディシンでおこなう医療行為は病院医療においては実践がされているが、医師が患者宅を訪問する必要のある在宅医療では困難を極めているのが実態であるが、本発明によって、このきわめて困難な課題をすみやかに解決できる。
【００２８】
請求項６のシステムは、本発明の在宅医療と健康管理システムに適用したネットセントリックシステムである請求項５に加えるに、前記在宅医療情報あるいは前記健康予防管理情報の実質的な記録手段として球体垂直磁化膜外部記憶部（７０）を有する構成である。この請求項６のシステムによって、請求項４のシステムをより高度なネットセントリックシステムにして提供できる。
【００２９】
請求項７のシステムは、本発明の在宅医療と健康管理システムに適用したネットセントリックシステムに、在宅医療情報あるいは健康予防管理情報の記録手段を含めた請求項６に加えるに、在宅医療情報あるいは健康予防管理情報の表示手段として、３６０度ウエブカメラ付ロボット（８０００）と６分割折り紙フルカラープリンタ（８６００）と６分割ディスプレイ式携帯端末装置（８３００）のうち、少なくともいずれか一つを情報の入力部あるいは出力部を有する構成である。この請求項７のシステムによって、請求項６のシステムをより実用的なネットセントリックシステムにして提供できる。
【００３０】
請求項８のエンジンは、グローバル・インフォメーション・グリッド（１１０１）との通信プロトコルのエリアである第１記憶部（６０２）と、他のカバードサーベランス・エンジン（６００１）との通信プロトコルのエリアである第２記憶部（６０３）と、コンテキスト・アウエアネス・エンジン（４００１）との通信プロトコルのエリアである第３記憶部（６０４）と、コネクショニスト・アフォーダンス・エンジン（５００１）との通信プロトコルのエリアである第４記憶部（６０５）と、プレディクテブ・ビヘイビアー・モディフィケーション・エンジン（９００１）との通信プロトコルのエリアである第５記憶部（６０６）と、入出力端末との通信プロトコルのエリアである第６記憶部（６０７）とを備え、グローバル・インフォメーション・グリッド（１１０１）との通信フラグを付与する第１フラグポイント（６０８）と、他のカバードサーベランス・エンジン（６００１）との通信フラグを付与する第２フラグポイント（６０９）と、コンテキスト・アウエアネス・エンジン（４００１）との通信フラグを付与する第３フラグポイント（６１０）と、コネクショニスト・アフォーダンス・エンジン（５００１）との通信フラグを付与する第４フラグポイント（６１１）と、プレディクテブ・ビヘイビアー・モディフィケーション・エンジン（９００１）との通信フラグを付与する第５フラグポイント（６１２）と、入出力端末との通信フラグを付与する第６フラグポイント（６１３）と、第１フラグポイント（６０８）乃至第６フラグポイント（６１３）間にまたがって処理する情報に通信フラグを付与する第０フラグポイント（６１４）とを有して構成するカバードサーベランス・エンジンであって、カバードサーベランス・エンジンが、グローバル・インフォメーション・グリッドとコンテキスト・アウエアネス・エンジンとコネクショニスト・アフォーダンス・エンジンとプレディクテブ・ビヘイビアー・モディフィケーション・エンジンとの何れとも連携してネットセントリックシステムを構成することを特徴とするカバードサーベランス・エンジンである。この請求項８の構成によって、ネットセントリックシステムで使用する具体的なカバードサーベランス・エンジンを提供できる。
【００３１】
請求項９のエンジンは、セキュリティー・デジタル・フォレンジック・エンジン（２００１）との通信プロトコルのエリアである第１記憶部（４０２）と、カバードサーベランス・エンジン（６００１）との通信プロトコルのエリアである第２記憶部（４０３）と、他のコンテキスト・アウエアネス・エンジン（４００１）との通信プロトコルのエリアである第３記憶部（４０４）と、コネクショニスト・アフォーダンス・エンジン（５００１）との通信プロトコルのエリアである第４記憶部（４０５）と、プレディクテブ・ビヘイビアー・モディフィケーション・エンジン（９００１）との通信プロトコルのエリアである第５記憶部（４０６）と、入出力端末との通信プロトコルのエリアである第６記憶部とを備え、セキュリティー・デジタル・フォレンジック・エンジン（２００１）との通信フラグを付与する第１フラグポイント（４０８）と、カバードサーベランス・エンジン（６００１）との通信フラグを付与する第２フラグポイント（４０９）と、他のコンテキスト・アウエアネス・エンジン（４００１）との通信フラグを付与する第３フラグポイント（４１０）と、コネクショニスト・アフォーダンス・エンジン（５００１）との通信フラグを付与する第４フラグポイント（４１１）と、プレディクテブ・ビヘイビアー・モディフィケーション・エンジン（９００１）との通信フラグを付与する第５フラグポイント（４１２）と、入出力端末との通信フラグを付与する第６フラグポイント（４１３）と、第１フラグポイント（４０８）乃至第６フラグポイント（４１３）間にまたがって処理する情報に通信フラグを付与する第０フラグポイント（４１４）とを有して構成するコンテキスト・アウエアネス・エンジンであって、コンテキスト・アウエアネス・エンジンが、グローバル・インフォメーション・グリッドと連携するカバードサーベランス・エンジンにコネクショニスト・アフォーダンス・エンジンとプレディクテブ・ビヘイビアー・モディフィケーション・エンジンと共に連携して、更にセキュリティー・デジタル・フォレンジック・エンジンを含み、ネットセントリックシステムを構成することを特徴とするコンテキスト・アウエアネス・エンジンである。この請求項９の構成によって、ネットセントリックシステムで使用する具体的なコンテキスト・アウエアネス・エンジンを提供できる。
【００３２】
請求項１０のエンジンは、セキュリティー・デジタル・フォレンジック・エンジン（２００１）との通信プロトコルのエリアである第１記憶部（５０２）と、カバードサーベランス・エンジン（６００１）との通信プロトコルのエリアである第３記憶部（５０４）と、コンテキスト・アウエアネス・エンジン（４００１）との通信プロトコルのエリアである第２記憶部（５０３）と、他のコネクショニスト・アフォーダンス・エンジン（５００１）との通信プロトコルのエリアである第４記憶部（５０５）と、プレディクテブ・ビヘイビアー・モディフィケーション・エンジン（９００１）との通信プロトコルのエリアである第５記憶部（５０６）と、入出力端末との通信プロトコルのエリアである第６記憶部とを備え、セキュリティー・デジタル・フォレンジック・エンジン（２００１）との通信フラグを付与する第１フラグポイント（５０８）と、カバードサーベランス・エンジン（６００１）との通信フラグを付与する第２フラグポイント（５０９）と、コンテキスト・アウエアネス・エンジン（４００１）との通信フラグを付与する第３フラグポイント（５１０）と、他のコネクショニスト・アフォーダンス・エンジン（５００１）との通信フラグを付与する第４フラグポイント（５１１）と、プレディクテブ・ビヘイビアー・モディフィケーション・エンジン（９００１）との通信フラグを付与する第５フラグポイント（５１２）と、入出力端末との通信フラグを付与する第６フラグポイント（５１３）と、第１フラグポイント（５０８）乃至第６フラグポイント（５１３）間にまたがって処理する情報に通信フラグを付与する第０フラグポイント（５１４）とを有して構成するコネクショニスト・アフォーダンス・エンジンであって、コネクショニスト・アフォーダンス・エンジンが、グローバル・インフォメーション・グリッドと連携するカバードサーベランス・エンジンに、コンテキスト・アウエアネス・エンジンとプレディクテブ・ビヘイビアー・モディフィケーション・エンジンと共に連携して、更にセキュリティー・デジタル・フォレンジック・エンジンと連携することを含み、ネットセントリックシステムを構成することを特徴とするコネクショニスト・アフォーダンス・エンジンである。この請求項１０の構成によって、ネットセントリックシステムで使用する具体的なコネクショニスト・アフォーダンス・エンジンを提供できる。
【００３３】
請求項１１のエンジンは、他のセキュリティー・デジタル・フォレンジック・エンジン（２００１）の通信プロトコルのエリアである第１記憶部（２０２）と、従来からある既存データベース（３００１）と現実世界コンテンツ入力操作部（００１０）との通信プロトコルのエリアである第２記憶部（２０３）と、コンテキスト・アウエアネス・エンジン（４００１）との通信プロトコルのエリアである第３記憶部（２０４）と、コネクショニスト・アフォーダンス・エンジン（５００１）との通信プロトコルのエリアである第４記憶部（２０５）と、強いセキュリティー処理を行うエリアである第５記憶部（２０６）と、弱いセキュリティー処理を行うエリアである第６記憶部（２０７）とを備え、他のセキュリティー・デジタル・フォレンジック・エンジン（２００１）との通信フラグを付与する第１フラグポイント（２０８）と、現実世界コンテンツ入力操作部（００１０）既存データベース（３００１）との通信フラグを付与する第２フラグポイント（２０９）と、コンテキスト・アウエアネス・エンジン（４００１）との通信フラグを付与する第３フラグポイント（２１０）と、コネクショニスト・アフォーダンス・エンジン（５００１）との通信フラグを付与する第４フラグポイント（２１１）と、強いセキュリティー処理フラグを付与する第５フラグポイント（２１２）と、弱いセキュリティー処理フラグを付与する第６フラグポイント（２１３）と、第１フラグポイント（２０８）乃至第６フラグポイント（２１３）間にまたがって処理する情報に通信フラグを付与する第０フラグポイント（２１４）と、を有して構成するセキュリティー・デジタル・フォレンジック・エンジン（２００１）であって、  前記セキュリティー・デジタル・フォレンジック・エンジンが、グローバル・インフォメーション・グリッドとの送受信部であるカバードサーベランス・エンジンに通信するコンテキスト・アウエアネス・エンジンとコネクショニスト・アフォーダンス・エンジンとに連携してネットセントリックシステムを構成することを特徴とするセキュリティー・デジタル・フォレンジック・エンジンである。この請求項１１の構成によって、ネットセントリックシステムで使用する具体的なセキュリティー・デジタル・フォレンジック・エンジンを提供できる。
【００３４】
請求項１２のエンジンは、  他のプレディクテブ・ビヘイビアー・モディフィケーション・エンジン（９００１）の通信プロトコルのエリアである第１記憶部（９０２）と、カバードサーベランス・エンジン（６００１）との通信プロトコルのエリアである第２記憶部（９０３）と、コンテキスト・アウエアネス・エンジン（４００１）との通信プロトコルのエリアである第３記憶部（９０４）と、コネクショニスト・アフォーダンス・エンジン（５００１）との通信プロトコルのエリアである第４記憶部（９０５）と、予兆の発見処理を行うエリアである第５記憶部（９０６）と、行動変容処理を行うエリアである第６記憶部（９０７）を備え、他のプレディクテブ・ビヘイビアー・モディフィケーション・エンジン（９００１）との通信フラグを付与する第１フラグポイント（９０８）と、カバードサーベランス・エンジン（６００１）との通信フラグを付与する第２フラグポイント（９０９）と、コンテキスト・アウエアネス・エンジン（４００１）との通信フラグを付与する第３フラグポイント（９１０）と、コネクショニスト・アフォーダンス・エンジン（５００１）との通信フラグを付与する第４フラグポイント（９１１）と、予兆の発見処理フラグを付与する第５フラグポイント（９１２）と、行動変容処理フラグを付与する第６フラグポイント（９１３）と、第１フラグポイント（９０８）乃至第６フラグポイント（９１３）間にまたがって処理する情報に通信フラグを付与する第０フラグポイント（９１４）とを有して構成するプレディクテブ・ビヘイビアー・モディフィケーション・エンジンであって、プレディクテブ・ビヘイビアー・モディフィケーション・エンジンが、グローバル・インフォメーション・グリッドと連携するカバードサーベランス・エンジンにコンテキスト・アウエアネス・エンジンとコネクショニスト・アフォーダンス・エンジンと共に連携してネットセントリックシステムを構成することを特徴とするプレディクテブ・ビヘイビアー・モディフィケーション・エンジンである。この請求項１２の構成によって、ネットセントリックシステムで使用する具体的なプレディクテブ・ビヘイビアー・モディフィケーション・エンジンを提供できる。
【００３５】
請求項１３の装置は、６面立方体の筐体内において、垂直磁化膜を球体状に積層してあり、前記積層した垂直磁化膜の最外周膜部（３００１）にセキュリティー・デジタル・ジック・エンジン（２００１）で定めた強いセキュリティー処理をされたデータを記録して、積層した垂直磁化膜の最内周膜部（３００６）に前記セキュリティー・デジタル・フォレンジック・エンジンで定めた弱いセキュリティー処理をされたデータを記録する球体垂直磁化膜記憶装置（３０００）であって、球体垂直磁化膜記憶装置が、グローバル・インフォメーション・グリッドとカバードサーベランス・エンジンとコンテキスト・アウエアネス・エンジンとコネクショニスト・アフォーダンス・エンジン並びにプレディクテブ・ビヘイビアー・モディフィケーション・エンジンとの連携で構成されるネットセントリックシステムに組み込むことを特徴とする球体垂直磁化膜記憶装置である。この請求項１３の構成によって、ネットセントリックシステムで使用する記憶装置を提供できる。
【００３６】
請求項１４の装置は、カバードサーベランスエンジンとの交信部（１８５０）と、３６０度視覚が可能なカメラ（１８５５）と、聴覚機能（１８５６）を有し、前記カメラ（１８５５）と前記聴覚機能（１８５６）で検出したリアルコンテンツをカバードサーベランス・エンジン（６００１）を経由して、コネクショニスト・アフォーダンス・エンジン（９００１）と常に交信する３６０度ウエブカメラ付ロボットであって、前記３６０度ウエブカメラ付ロボットが、グローバル・インフォメーション・グリッドとカバードサーベランス・エンジンとコンテキスト・アウエアネス・エンジンとコネクショニスト・アフォーダンス・エンジンとプレディクテブ・ビヘイビアー・モディフィケーション・エンジンと球体垂直磁化膜記憶装置との連携で構成されるネットセントリックシステムに組み込むことを特徴とする３６０度ウエブカメラ付ロボットである。この請求項１４の構成によって、ネットセントリックシステムで使用する実用的なウエブカメラ付ロボットを提供できる。
【００３７】
請求項１５の装置は、印刷部（１８７４）と、プリンタの紙の挿入口（１８７２）と、アウトプット部（１８７５）と、制御コントロール部（１８７３）とを有し、６分割に折りたたんである紙を挿入口（１８７２）から挿入され、印刷部（１８７４）で折り畳んだ状態の紙から元の開いた状態の紙に戻して印刷する６分割折り紙プリンタであって、６分割折り紙プリンタが、グローバル・インフォメーション・グリッドとカバードサーベランス・エンジンとコンテキスト・アウエアネス・エンジンとコネクショニスト・アフォーダンス・エンジンとプレディクテブ・ビヘイビアー・モディフィケーション・エンジンと球体垂直磁化膜記憶装置との連携で構成されるネットセントリックシステムに組み込むことを特徴とする６分割折り紙フルカラープリンタである。この請求項１５の構成によって、ネットセントリックシステムで使用する実用的な６分割折り紙プリンタを提供できる。
【００３８】
請求項１６の装置は、カバードサーベランス・エンジン（６００１）との交信に必要な内蔵するプロトコルと、操作部（１８３２）と、簡易表示部（１８３３）と、３６０度ウエブカメラロボット（８０００）との交信をする送受信部及びカメラ（１８３４）と、６分割ディスプレイ本体（１８４２）を折り畳む状態で収納する収納部（１８３５）と、メモリーユニット（７９０）を内臓する送受信部本体（１８３１）と、前記６分割ディスプレイ本体（１８４２）を送受信部本体（１８３１）から引出して６分割ディスプレイを表示する携帯端末装置であって、この携帯端末装置が、グローバル・インフォメーション・グリッドとカバードサーベランス・エンジンとコンテキスト・アウエアネス・エンジンとコネクショニスト・アフォーダンス・エンジンとセキュリティー・デジタル・フォレンジック・エンジンと、プレディクテブ・ビヘイビアー・モディフィケーション・エンジンと球体垂直磁化膜記憶装置との連携で構成されるネットセントリックシステムに組み込むことを特徴とする６分割ディスプレイ式携帯端末装置である。この請求項１６の構成によって、ネットセントリックシステムで使用する実用的な携帯端末装置を提供できる。
【００３９】
請求項１７のエンジンは、前記在宅の対象者と前記医療健康管理者との間で在宅医療情報あるいは健康予防管理情報を送達する在宅医療と健康管理システムに適用した前記ネットセントリックシステムを構成することを特徴とする請求項８記載のカバードサーベランス・エンジンである。この請求項１７の構成によって、在宅者であってもネットセントリックシステムを利用可能なカバードサーベランス・エンジンを提供できる。
【００４０】
請求項１８のエンジンは、前記在宅の対象者と前記医療健康管理者との間で在宅医療情報あるいは健康予防管理情報を送達する在宅医療と健康管理システムに適用した前記ネットセントリックシステムを構成することを特徴とする請求項９記載のコンテキスト・アウエアネス・エンジンである。この請求項１８の構成によって、在宅者であってもネットセントリックシステムを利用可能なコンテキスト・アウエアネス・エンジンを提供できる。
【００４１】
請求項１９のエンジンは、  前記在宅の対象者と前記医療健康管理者との間で在宅医療情報あるいは健康予防管理情報を送達する在宅医療と健康管理システムに適用した前記ネットセントリックシステムを構成することを特徴とする請求項１０記載のコネクショニスト・アフォーダンス・エンジンである。この請求項１９の構成によって、在宅者であってもネットセントリックシステムを利用可能なコネクショニスト・アフォーダンス・エンジンを提供できる。
【００４２】
請求項２０のエンジンは、前記在宅の対象者と前記医療健康管理者との間で在宅医療情報あるいは健康予防管理情報を送達する在宅医療と健康管理システムに適用した前記ネットセントリックシステムを構成することを特徴とする請求項１１記載のセキュリティー・デジタル・フォレンジック・エンジンである。この請求項２０の構成によって、在宅者であってもネットセントリックシステムを利用可能なセキュリティー・デジタル・フォレンジック・エンジンを提供できる。
【００４３】
請求項２１のエンジンは、前記在宅の対象者と前記医療健康管理者との間で在宅医療情報あるいは健康予防管理情報を送達する在宅医療と健康管理システムに適用した前記ネットセントリックシステムを構成することを特徴とする請求項１２記載のプレディクテブ・ビヘイビアー・モディフィケーション・エンジンである。この請求項２１の構成によって、在宅者であってもネットセントリックシステムを利用可能なプレディクテブ・ビヘイビアー・モディフィケーション・エンジンを提供できる。
【００４４】
請求項２２の装置は、前記在宅の対象者と前記医療健康管理者との間で在宅医療情報あるいは健康予防管理情報を送達する在宅医療と健康管理システムに適用した前記ネットセントリックシステムを構成することを特徴とする請求項１３記載の球体垂直磁化膜記憶装置である。この請求項２２の構成によって、在宅者であってもネットセントリックシステムを利用可能な球体垂直磁化膜記憶装置を提供できる。
【００４５】
請求項２３の装置は、前記在宅の対象者と前記医療健康管理者との間で在宅医療情報あるいは健康予防管理情報を送達する在宅医療と健康管理システムに適用した前記ネットセントリックシステムを構成することを特徴とする請求項１４記載の３６０度ウエブカメラ付ロボットである。この請求項２３の構成によって、在宅者であってもネットセントリックシステムを利用可能な３６０度ウエブカメラ付ロボットを提供できる。
【００４６】
請求項２４の装置は、前記在宅の対象者と前記医療健康管理者との間で在宅医療情報あるいは健康予防管理情報を送達する在宅医療と健康管理システムに適用した前記ネットセントリックシステムを構成することを特徴とする請求項１５記載の６分割折り紙フルカラープリンタである。この請求項２４の構成によって、在宅者であってもネットセントリックシステムを利用可能な６分割折り紙フルカラープリンタを提供できる。
【００４７】
請求項２５の装置は、前記在宅の対象者と前記医療健康管理者との間で在宅医療情報あるいは健康予防管理情報を送達する在宅医療と健康管理システムに適用した前記ネットセントリックシステムを構成することを特徴とする請求項１６記載の６分割ディスプレイ式携帯端末装置である。この請求項２５の構成によって、在宅者であってもネットセントリックシステムを利用可能な６分割ディスプレイ式携帯端末装置を提供できる。
【００４８】
請求項２６の方法は、カバードサーベランスのステップと、コンテキスト・アウエアネスのステップと、コネクショニスト・アフォーダンスのステップと、セキュリティー・デジタル・フォレンジックのステップと、プレディクテブ・ビヘイビアー・モディフィケーションのステップとを有しており、前記カバードサーベランスのステップが前記コンテキスト・アウエアネスのステップと前記コネクショニスト・アフォーダンスのステップと前記プレディクテブ・ビヘイビアー・モディフィケーションのステップと連携すると共に、前記コンテキスト・アウエアネスのステップと前記コネクショニスト・アフォーダンスのステップに前記セキュリティー・デジタル・フォレンジックのステップを更に連携することを特徴とするネットセントリックの方法である。
【００４９】
請求項２７の方法は、前記カバードサーベランスのステップと、前記コンテキスト・アウエアネスのステップと、前記コネクショニスト・アフォーダンスのステップと、プレディクテブ・ビヘイビアー・モディフィケーションのステップとを球体垂直磁化膜記憶部に記録するステップを更に有する前記請求項２６記載のネットセントリックの方法である。
【００５０】
請求項２８の方法は、３６０度ウエブカメラと６分割折り紙フルカラープリンタと６分割ディスプレイ式携帯端末装置のうち、少なくともいずれか一つを情報の入力ステップあるいは出力ステップとする前記請求項２７記載のネットセントリックの方法である。
【００５１】
請求項２９の方法は、在宅の対象者に対する医療情報あるいは健康管理情報と、前記対象者に医療情報あるいは健康管理情報を提供する医療健康管理者との間の情報処理において、カバードサーベランスのステップと、  コンテキスト・アウエアネスのステップと、  コネクショニスト・アフォーダンスのステップと、セキュリティー・デジタル・フォレンジックのステップと、プレディクテブ・ビヘイビアー・モディフィケーションのステップとを有しており、前記カバードサーベランスのステップが前記コンテキスト・アウエアネスのステップと前記コネクショニスト・アフォーダンスのステップと前記プレディクテブ・ビヘイビアー・モディフィケーションのステップと連携すると共に、前記コンテキスト・アウエアネスのステップと前記コネクショニスト・アフォーダンスのステップに前記セキュリティー・デジタル・フォレンジックのステップを更に連携することを特徴とするネットセントリックの方法である。
【００５２】
請求項３０の方法は、前記カバードサーベランスのステップと、前記コンテキスト・アウエアネスのステップと、前記コネクショニスト・アフォーダンスのステップとプレディクテブ・ビヘイビアー・モディフィケーションのステップとを球体垂直磁化膜記憶部に記録するステップを更に有する前記請求項２９記載のネットセントリックの方法である。
【００５３】
請求項３１の方法は、３６０度ウエブカメラと６分割折り紙フルカラープリンタと６分割ディスプレイ式携帯端末装置のうち、少なくともいずれか一つを情報の入力ステップあるいは出力ステップとする前記請求項３０記載のネットセントリックの方法である。
【発明の効果】
【００５４】
請求項１の発明は、シェアード・シュチエーション・アウエアネスを実施することで、ユーザは時間途切れなく継続的に情報共有ができるという特有の効果を奏する。
【００５５】
請求項２の発明は、請求項１の効果に加えて、シェアード・シュチエーション・アウエアネスを具体的に実行するシステムを提供できるという特有の効果を奏する。
【００５６】
請求項３の発明は、請求項２の効果に加えて、セキュリティーに強い信頼性のあり、且つ大容量の記録ができるネットセントリックシステムを提供できるという特有の効果を奏する。
【００５７】
請求項４の発明は、請求項３の効果に加えて、この６分割ディスプレイ式携帯端末装置をネットセントリックシステムに組み込むことで、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になるネットセントリックシステムを提供できるという特有の効果を奏する。
【００５８】
請求項５の発明は、在宅の対象者自身あるいは対象者に医療情報あるいは健康管理情報を提供する医療健康管理者に予兆の発見と行動変容を知覚させることができるネットセントリックシステムを提供できるという特有の効果を奏する。
【００５９】
請求項６の発明は、請求項５の効果に加えて、セキュリティーに強い信頼性のあり、且つ大容量の記録ができるネットセントリックシステムを提供できるという特有の効果を奏する。
【００６０】
請求項７の発明は、請求項６の効果に加えて、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になるネットセントリックシステムを提供できるという特有の効果を奏する。
【００６１】
請求項８の発明は、あらかじめ起こると推測されるイベントを一定の範囲の部屋等に感知能力を設置し、その中で起こるであろう予測事項と大幅に異なった事実との違いを好適に見つけ出す前兆発見予知監視機能を有する特有の効果を奏する。
【００６２】
請求項９の発明は、現実世界のコンテンツ（Real-Contents）をデータとしてのウエブコンテンツ（Digital Web-Contents）へ変換させる機能を有する機能を有するという特有の効果を奏する。
【００６３】
請求項１０の発明は、自律的学習機能を高めたり、自らのモチベーションを維持することを外部環境からみる方法を実行する機能を有するという特有の効果を奏する。
【００６４】
請求項１１の発明は、証拠を収集・保存する証拠情報で訴訟にても有効となる所見であるデジタル・フォレンジックを暗号化する機能を有するという特有の効果を奏する。
【００６５】
請求項１２の発明は、予兆の発見（Chance Discovery）から行動変容（Behaviour Modification）のチャンスを発見支援する機能により、ユーザはその意思決定に重要な機会に予兆情報（Predictive Information）として利用できるという特有の効果を奏する。
【００６６】
請求項１３の発明は、ネットセントリックシステムで使用するセキュリティーに強い信頼性のある大容量の記録ができるという特有の効果を奏する。
【００６７】
請求項１４の発明は、シェアードシチュエーションアウエアネスに効率化を促し、一方のユーザが置かれた密室性の壁は乗り越えられ、他方のユーザが状況判断の支援できるという特有の効果を奏する。
【００６８】
請求項１５の発明は、この６分割折り紙フルカラープリンタをネットセントリックシステムに組み込むことで、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になるという特有の効果を奏する。
【００６９】
請求項１６の発明は、この６分割ディスプレイ式携帯端末装置をネットセントリックシステムに組み込むことで、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になるという特有の効果を奏する。
【００７０】
請求項１７の発明は、請求項８の効果に加えて、在宅の対象者自身と対象者への医療情報あるいは健康管理情報を提供する医療健康管理者に、予兆の発見と行動変容を知覚させることができる前兆発見予知監視機能を有する特有の効果を奏する。
【００７１】
請求項１８の発明は、請求項９の効果に加えて、在宅の対象者自身と対象者への医療情報あるいは健康管理情報を提供する医療健康管理者の現実世界のコンテンツ（Real-Contents）をデータとしてのウエブコンテンツ（Digital Web-Contents）へ変換して、在宅の対象者自身あるいは対象者と医療情報あるいは健康管理情報を提供する医療健康管理者がネットセントリックシステムを利用できるという特有の効果を奏する。
【００７２】
請求項１９の発明は、請求項１０の効果に加えて、在宅の対象者自身と対象者への医療情報あるいは健康管理情報を提供する医療健康管理者間に、自律的学習機能を高めることができるという特有の効果を奏する。
【００７３】
請求項２０の発明は、請求項１１の効果に加えて、在宅の対象者自身と対象者への医療情報あるいは健康管理情報を提供する医療健康管理者間に、暗号化したデジタル・フォレンジックを提供することができるという特有の効果を奏する。
【００７４】
請求項２１の発明は、請求項１２の効果に加えて、在宅の対象者自身と対象者への医療情報あるいは健康管理情報を提供する医療健康管理者間に、行動変容の発見支援を提供することができるという特有の効果を奏する。
【００７５】
請求項２２の発明は、請求項１３の効果に加えて、在宅の対象者自身と対象者への医療情報あるいは健康管理情報を提供する医療健康管理者間に、セキュリティーに強い信頼性のある大容量の記録を提供できるという特有の効果を奏する。
【００７６】
請求項２３の発明は、請求項１４の効果に加えて、在宅の対象者自身と対象者への医療情報あるいは健康管理情報を提供する医療健康管理者間で、一方のユーザが置かれた密室性を排除して、他方のユーザが状況判断の支援ができるという特有の効果を奏する。
【００７７】
請求項２４の発明は、請求項１５の効果に加えて、在宅の対象者自身と対象者への医療情報あるいは健康管理情報を提供する医療健康管理者間で、紙で閲覧が可能になるという特有の効果を奏する。
【００７８】
請求項２５の発明は、請求項１６の効果に加えて、在宅の対象者自身と対象者への医療情報あるいは健康管理情報を提供する医療健康管理者間で、ディスプレイで閲覧が可能になるという特段の効果を奏する。
【００７９】
請求項２６の発明は、ユーザの予兆の発見と行動変容を得ることができるという特段の効果を奏する。
【００８０】
請求項２７の発明は、請求項２６の効果に加えて、大容量の情報を扱うことができるという特有の効果を奏する。
【００８１】
請求項２８の発明は、請求項２７の効果に加えて、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になる方法を提供できるという特有の効果を奏する。
【００８２】
請求項２９の発明は、在宅の対象者に対する医療情報あるいは健康管理情報と、前記対象者に医療情報あるいは健康管理情報を提供する医療健康管理者との間の情報処理において、在宅の対象者と医療健康管理者が予兆の発見と行動変容を得ることができるという特段の効果を奏する。
【００８３】
請求項３０の発明は、請求項２９の効果に加えて、大容量の情報を扱うことができるという特有の効果を奏する。
【００８４】
請求項３１の発明は、請求項２９の効果に加えて、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になる方法を提供できるという特有の効果を奏する。
【発明を実施するための最良の形態】
【００８５】
本発明の最良の形態を以下の実施例で詳細に説明する。
【実施例１】
【００８６】
図１は本発明システムのネットセントリックシステム（Network Centric Solution System）（１）の概略図である。ここでネットセントリックシステムとは、意思決定や活動指示の中枢部分を特定せずに一定の権限を現場にて移譲し意思決定の正確さ、迅速性を促す組織体であり、それらを分散するトポロジー形態で行うネットワークを利用した解決方法の機能を有する構成体である。図１に示す基本構成要素は情報の伝達手段であるグローバル・インフォメーション・グリッド（１１０１）と、情報の変換手段であるカバードサーベランス・エンジン（６００１）と、コンテキスト・アウエアネス・エンジン（４００１）と、コネクショニスト・アフォーダンス・エンジン（５００１）と、セキュリティー・デジタル・フォレンジック・エンジン（２００１）と、プレディクテブ・ビヘイビアー・モディフィケーション・エンジン（９００１）と、情報の記録補助手段としての球体垂直磁化膜外部記憶部（７０）と、入出力部となる３６０度ウエブカメラ付ロボット（８０００）と、６分割ディスプレイ式携帯端末装置（８３００）と、６分割折り紙フルカラープリンタ（８６００）と、既存のデータベース（１２）とから成る。
【００８７】
特に、図１で破線内は本発明の中核となる技術コア部（１０００）である。すなわち、技術コア部（１０００）は、情報の変換手段であるカバードサーベランス・エンジン（６００１）と、コンテキスト・アウエアネス・エンジン（４００１）と、コネクショニスト・アフォーダンス・エンジン（５００１）と、セキュリティー・デジタル・フォレンジック・エンジン（２００１）と、プレディクテブ・ビヘイビアー・モディフィケーション・エンジン（９００１）で構成する。そして、これらカバードサーベランス・エンジン（６００１）と、コンテキスト・アウエアネス・エンジン（４００１）と、コネクショニスト・アフォーダンス・エンジン（５００１）と、セキュリティー・デジタル・フォレンジック・エンジン（２００１）と、プレディクテブ・ビヘイビアー・モディフィケーション・エンジン（９００１）を連携させることで、ネットセントリックシステムとして機能し、ユーザに予兆の発見から行動変容のチャンスの発見を与えるソルージョンになる。
【００８８】
まず、グローバル・インフォメーション・グリッド（１１０１）について概略説明する。グローバル・インフォメーション・グリッド（Global Information Grid）とは、ネットセントリックを地球規模にて運用をおこなう人工衛星活用型個別データベースである。図２はグローバル・インフォメーション・グリッド（１１０１）の構成を示す。
【００８９】
第１層（２１）は情報ドメイン（Information Domain）である。この第１層は既存システムとのリンクを可能にするプロトコルである。第２層（２２）は物理ドメインである。この第２層（２２）はカバードサーベランス・エンジン（６００１）と、コンテキスト・アウエアネス・エンジン（４００１）と、コネクショニスト・アフォーダンス・エンジン（５００１）と、セキュリティー・デジタル・フォレンジック・エンジン（２００１）と、プレディクテブ・ビヘイビアー・モディフィケーション・エンジン（９００１）の各種エンジンを要素とするコア部（１０００）と遠隔地の各種端末をつなぐための各種プロトコルを与える。第３層（２３）はシェアード・シュチエーション・アウエアネス（Shared Situational Awareness, ＳＳＡ）のプロトコルレイヤーである。この第３層はユーザ間のコミュニケーションで必要なプロトコルを与える。第４層（２４）はセルフ・シンクロナイゼーション（Self Synchronization, ＳＳ）のプロトコルレイヤーである。この第４層（２４）は、端末のユーザが自ら自発的にプレディクテブ・ビヘイビアー・モディフィケーション・エンジン（９００１）の条件判断より推察できるようにプロトコルを与える。第５層（２５）はソシアル・インフォストラクチャー（Social Infrastructure）のプロトコルレイヤーである。この第５層（２５）は、本発明システムを使用する地域社会において、ユーザ間コミュニケーションをいつでも使用可能にするプロトコルを与える。そして、この第５層（２５）はセキュリティー・デジタル・フォレンジック・エンジン（２００１）を有効にする。
【００９０】
第１層（２１）は主にインターオペラビリティー・プロトコルを活用することで運用が可能である。これは本発明で記述してゆくようにＰＨＰ（Hypertext Pre-Processor）の言語を使用しており、アプリケーション的にも広範囲にシステム運用ができる。ここでＰＨＰは、オープンソースのソフトウエアであり、ＨＴＭＬファイル内に記述するタイプのスクリプト言語である。このＰＨＰはこれまでの既存のシステムとしても使用可能である。このＰＨＰは通常のＣＧＩ（Common Gateway Interface）として使用できるが、されにＰＨＰモジュールをサーバに組み込むことにより、従来のＣＧＩと比較して処理速度の高速化、サーバ負荷の低減が可能となりグローバル・インフォメーション・グリッド（１１０１）と各エンジンの断続のない通信プロトコルに最適である。更に、このＰＨＰは既存で使用されているＳＱＬ等のデータベースとの連携が可能である。そして、またこのＰＨＰはセキュリティー・デジタル・フォレンジック・エンジン（２００１）、コンテキスト・アウエアネス・エンジン（４００１）、コネクショニスト・アフォーダンス・エンジン（５００１）、カバードサーベランス・エンジン（６００１）、プレディクテブ・ビヘイビアー・モディフィケーション・エンジン（９００１）および入出力デバイスである３６０度ウエブカメラ付ロボット（８０００）、６分割ディスプレイ式携帯端末装置（８３００）、６分割折り紙フルカラープリンタ（８６００）の各言語にも対応可能である。そして、この第１層（２１）は、グローバル・インフォメーション・グリッド（１１０１）と本発明の中核となる技術コア部（１０００）間をＸＭＬ等の機能をサポート可能である。そこで図１に示すコア部（１０００）は、ネットセントリックシステムで多様なアプリケーションを容易に瞬時に自動作成可能とする。
【００９１】
グローバル・インフォメーション・グリッド（１１０１）とコア部（１０００）間は、コア部（１０００）に構成するセキュリティー・デジタル・フォレンジック・エンジン（２００１）にて発生させるフラッグとＸＭＬとの親和性を与えることも可能である。このセキュリティー・デジタル・フォレンジック・エンジン（２００１）はこのシステムのセキュリティーを与える。
【００９２】
図３は、図２に示すグローバル・インフォメーション・グリッド（１１０１）に、カバードサーベランス・エンジン（６００１）と、コンテキスト・アウエアネス・エンジン（４００１）と、コネクショニスト・アフォーダンス・エンジン（５００１）と、セキュリティー・デジタル・フォレンジック・エンジン（２００１）と、プレディクテブ・ビヘイビアー・モディフィケーション・エンジン（９００１）等の各種エンジンを配列する概念を示す。例えば第１層（２１）に５つカバードサーベランス・エンジン（６００１）を配置した場合、５つのカバードサーベランス・エンジンが互いに通信する複数の通信経路（２６、２７、２８）を配置する。また、第５層（２５）に同様に５つのカバードサーベランス・エンジンを配置して、それらが互いに通信する複数の通信経路（３０、３１）を配置する。そして、第１層（２１）のカバードサーベランス・エンジンから、第５層（２５）のカバードサーベランス・エンジンが互いに通信する複数の通信経路（２９、３２、３３）を配列することを模式的に表す。この例では第１層（２１）と第５層（２５）間を接続して示しているが、第１層（２１）から第５層（２５）までの全ての層（２２、２３、２４）に対して、同様にカバードサーベランス・エンジンを配置する構成である。この図３に示す構成はカバードサーベランス・エンジンに限られるものではなく、コンテキスト・アウエアネス・エンジン（４００１）と、コネクショニスト・アフォーダンス・エンジン（５００１）と、セキュリティー・デジタル・フォレンジック・エンジン（２００１）と、プレディクテブ・ビヘイビアー・モディフィケーション・エンジン（９００１）においても、同様に構成する。
【００９３】
次に、第１の情報の変換手段であるカバードサーベランス・エンジン（６００１）について概略説明する。カバードサーベランス・エンジン（Covered Surveillance Engine）とは、前兆発見予知監視機能エンジンとも呼称され、あらかじめ起こると推測されるイベントを一定の範囲の部屋等に感知能力を設置し、その中で起こるであろう予測事項と大幅に異なった事実との違いを好適に見つけ出すシステム機能を有するエンジンである。
【００９４】
図４は、カバードサーベランス・エンジン（６００１）の構成を示す。このカバードサーベランス・エンジンは、６つの記憶部と７つのフラッグポイントを有す。すなわち、第１記憶部（６０２）、第２記憶部（６０３）、第３記憶部（６０４）、第４記憶部（６０５）、第５記憶部（６０６）、第６記憶部（６０７）と、第１フラッグポイント（６０８）、第２フラッグポイント（６０９）、第３フラッグポイント（６１０）、第４フラッグポイント（６１１）、第５フラッグポイント（６１２）、第６フラッグポイント（６１３）、第０フラッグポイント（６１４）である。
【００９５】
第１記憶部（６０２）は、グローバル・インフォメーション・グリッド（１１０１）との通信プロトコルのエリアである。第２記憶部（６０３）は、他のカバードサーベランス・エンジン（６００１）との通信プロトコルのエリアである。第３記憶部（６０４）は、コンテキスト・アウエアネス・エンジン（４００１）との通信プロトコルのエリアである。第４記憶部（６０５）は、コネクショニスト・アフォーダンス・エンジン（５００１）との通信プロトコルのエリアである。第５記憶部（６０６）は、プレディクテブ・ビヘイビアー・モディフィケーション・エンジン（９００１）との通信プロトコルのエリアである。第６記憶部（６０７）は、３６０度ウエブカメラ付ロボット（８０００）の制御と、６分割ディスプレイ式携帯端末装置（８３００）と６分割折り紙フルカラープリンタ（８６００）との通信プロトコルのエリアである。
【００９６】
第１フラグポイント（６０８）は、グローバル・インフォメーション・グリッド（１１０１）との通信フラグを付与するノードである。第２フラグポイント（６０９）は、他のカバードサーベランス・エンジン（６００１）との通信フラグを付与するノードである。第３フラグポイント（６１０）は、コンテキスト・アウエアネス・エンジン（４００１）との通信フラグを付与するノードである。第４フラグポイント（６１１）は、コネクショニスト・アフォーダンス・エンジン（５００１）との通信フラグを付与するノードである。
第５フラグポイント（６１２）は、プレディクテブ・ビヘイビアー・モディフィケーション・エンジン（９００１）との通信フラグを付与するノードである。第６フラグポイント（６１３）は、３６０度ウエブカメラ付ロボット（８０００）と、６分割折り紙フルカラープリンタ（８６００）と、６分割ディスプレイ式携帯端末装置（８３００）との通信フラグを付与するノードである。第０フラグポイント（６１４）は、第１フラグポイント（６０８）〜第６フラグポイント（６１３）間にまたがって処理する情報に通信フラグを付与するノードである。
【００９７】
図５は、このカバードサーベランス・エンジン（６００１）をグローバル・インフォメーション・グリッド（１１０１）に組み込んだ配置を示す。すなわち、複数のカバードサーベランス・エンジン（６２１、６２２、６２３、６２４、６２５、６２６、６２７、６２８、６２９、６３０）を、図６に示すように立方体状（６３５）に配置して、グローバル・インフォメーション・グリッド（１１０１）の各層と接続形態（６４０）にする。
【００９８】
ここで、本発明の基本データ構造について図７と図８で説明する。図７は、データを順次データエリアに格納する配置を示す。図８は、図７に示すデータの配置を入れ替えたデータエリアに格納する配置を示す。この図７に示すデータ配置を正則データと定め、図８に示すデータ配置を逆則データと定める。この正則データと逆則データは、配列が入れ替えてあるので互いにバックアップデータの関係になる。
【００９９】
図７は、正則データ（１００ａ）を示す。第１の正則データ指示領域（１０１）は第１の正則データ（１０３）から第５の正則データ（１１１）までの横の列を規定しデータ管理をする指示機構が格納されている位置を示す。第２の正則データ指示領域（１０２）は第６の正則データ（１０６）から第１０の正則データ（１１２）までの横の列を規定しデータ管理をする指示機構が格納されている位置を示す。第１の正則データ（１０３）は誰（ＷＨＯ）が行為をしたかのデータを入れるデータ格納位置を示す。第２の正則データ（１０４）は何時（ＷＨＥＮ）に行為をなしたかのデータを入れるデータ格納位置を示す。第３の正則データ（１０５）は何処（ＷＨＥＲＥ）で行為をおこなったかのデータをいれるデータ格納位置を示す。第６の正則データ（１０６）は何（ＷＨＡＴ）の行為をしたのかのデータをいれるデータ格納位置を示す。第７の正則データ（１０７）は何故（ＷＨＹ）その行為をしてのかのデータをいれるデータ格納位置を示す。第８の正則データ（１０８）はいかに（ＨＯＷ）して第１の正則データ（１０３）から第７の正則データ（１０７）の関連する行為をしたのかのデータの格納位置を示している。第４の正則データ（１０９）は第１の正則データ（１０３）から第３の正則データ（１０５）までの一連のデータ格納位置のバックアップデータをフォレンジックデータに変換して自動的に格納する位置を示している。第９の正則データ（１１０）は第６の正則データ（１０６）から第８の正則データ（１０８）までの一連のデータ格納位置のバックアップデータをフォレンジックデータに変換して自動的に格納する位置を示している。第５の正則データ（１１１）は第１の正則データ（１０３）から第４の正則データ（１０９）までの一連の格納データをネットセントリックオペレーションとのリンクを自動的におこなうプロトコル格納の位置である。第１０の正則データ（１１２）は第６の正則データ（１０６）から第９の正則データ（１１０）までの一連の格納データをネットセントリックシステムとのリンクを自動的におこなうプロトコル格納の位置である。
【０１００】
図８は、逆則データ（１００ｂ）を示す。第１の逆則データ指示領域（１２１）は、第１の逆則データ（１２３）から第５の逆則データ（１３１）までの横の列を規定し、データ管理をする指示機構が格納されている位置を示した相対的可逆関係のデータを格納する位置を示す。第２の逆則データ指示領域（１２２）は第６の逆則データ（１２６）から第１０の逆則データ（１３２）までの横の列を規定し、データ管理をする指示機構が格納されている位置を示した相対的可逆関係のデータを格納する位置を示す。第１の逆則データ（１２３）は何（ＷＨＡＴ）の行為をしたかのデータを入れる相対的可逆関係のデータを格納する位置を示す。第２の逆則データ（１２４）は何故（ＷＨＹ）その行為をしたかのデータを入れる相対的可逆関係のデータを格納する位置を示す。第３の逆則データ（１２５）はいかに（ＨＯＷ）して第１の逆則データ（１２３）と第２の逆則データ（１２４）と第６〜第８の逆側データ（１２６、１２７、１２８）の関連する行為をしたかの相対的可逆関係のデータの格納位置を示している。第６の逆則データ（１２６）は誰（ＷＨＯ）が行為をしたかの相対的可逆関係のデータをいれるデータ格納位置を示す。第７の逆則データ（１２７）は何時（ＷＨＥＮ）に行為をなしたかの相対的可逆関係のデータを格納する位置を示す。第８の逆則データ（１２８）は何処（ＷＨＥＲＥ）で行為をおこなったかの相対的可逆関係のデータを格納する位置を示す。第４の逆則データ（１２９）は第１の逆則データ（１２３）から逆則の第３のデータ（１２５）までの一連のデータ格納位置のバックアップデータをフォレンジックデータに変換して自動的に格納する位置を示した相対的可逆関係のデータを格納する位置を示す。第９の逆則データ（１３０）は第６の逆則データ（１２６）から第８の逆則データ（１２８）までの一連のデータ格納位置のバックアップデータをフォレンジックデータに変換して自動的に格納する位置を示した相対的可逆関係のデータを格納する位置を示す。第５の逆則データ（１３１）は第１の逆則データ（１２３）から第９の逆則データ（１２９）までの一連の格納データをネットセントリックオペレーションとのリンクを自動的におこなうプロトコル格納の位置でした相対的可逆関係のデータを格納する位置をしめす。第１０の逆則データ（１３２）は第６の逆則データ（１２６）から第９の逆則データ（１３０）までの一連の格納データをネットセントリックオペレーションとのリンクを自動的におこなうプロトコル格納の位置である。
【０１０１】
このデータ構造の意味は、格納された多様なデータの格納先を選定することで、第１の正則データ（１０３）から第８の正則データ（１０８）までを正則情報データとして格納し、瞬時の要求に対応可能としている。更に、このアクセスされた情報が逆則としてバックアップされる第１の逆則データ（１２３）から第８の逆則データ（１２８）にみるように、いつでもバックアップがされている。そこで、データアクセス時点での一番最後にアクセスをされた記録時間が記憶されるだけでなく、第４の正則データ（１０９）と第９の正則データ（１１０）、及び第４の逆則データ（１２９）と第９の逆則データ（１３０）で行われたセキュリティ・デジタル・フォレンジックをも堅牢に保持できるデータ構造になっている。これらの堅牢なセキュリティー構造は、あらゆる状況におちいってもこの領域においてはセキュリティーの事故が起こった際にでも裁判上の証拠能力の担保保持を意味する。
【０１０２】
正則データと逆則データの位置関係は、図７と図８で示したように、数字１と６の関係である。このように一対の正則データと逆則データの組み合わせを、更に別のデータ対として増やす。図９は３対の場合を示す。例えばサイコロダイスの数字１〜６を使用して示す。このダイス数字の組み合わせは正則順と逆側順をペアにすると全部で３グループできる。すなわち、グループ（イ）とグループ（ロ）とグループ（ハ）である。この３通りの意味は、後述の球体垂直磁化膜記憶部において、最も好適な組み合わせを提供できる。
【０１０３】
グローバル・インフォメーション・グリッド（１１０１）とカバードサーベランス・エンジン（６００１）との連携は、グローバル・インフォメーション・グリッド（１１０１）のネットセントリックオペレーションで発生してきた乱数コード番号を第５の正則データ（１１１）と第１０正則のデータ（１１２）、並びに第５の逆則データ（１３１）と第１０の逆則データ（１３２）に格納することにより、そのデータ処理を行う日だけ有効なコード番号を一致させて唯一無二のデータ格納コードを生成することができる。そして、このデータ付与はカバードサーベランス・エンジン（６００１）の第１フラグポイント（６０８）で行う。
【０１０４】
次に、第２の情報の変換手段であるコンテキスト・アウエアネス・エンジン（４００１）について概略説明する。コンテキスト・アウエアネス・エンジン（Context Awareness Engine,ＣＡＥ）とは、現実世界のコンテンツ（Real-Contents）をデータとしてのウエブコンテンツ（Digital Web-Contents）へ変換させる機能を有する機能である。
【０１０５】
図１０は、コンテキスト・アウエアネス・エンジン（４００１）の構成を示す。このコンテキスト・アウエアネス・エンジンは、６つの記憶部と７つのフラッグポイントを有す。すなわち、第１記憶部（４０２）、第２記憶部（４０３）、第３記憶部（４０４）、第４記憶部（４０５）、第５記憶部（４０６）、第６記憶部（４０７）と、第１フラッグポイント（４０８）、第２フラッグポイント（４０９）、第３フラッグポイント（４１０）、第４フラッグポイント（４１１）、第５フラッグポイント（４１２）、第６フラッグポイント（４１３）、第０フラッグポイント（４１４）である。
【０１０６】
第１記憶部（４０２）は、セキュリティー・デジタル・フォレンジック・エンジン（２００１）との通信プロトコルのエリアである。第２記憶部（４０３）は、カバードサーベランス・エンジン（６００１）との通信プロトコルのエリアである。第３記憶部（４０４）は、他のコンテキスト・アウエアネス・エンジン（４００１）との通信プロトコルのエリアである。第４記憶部（４０５）は、コネクショニスト・アフォーダンス・エンジン（５００１）との通信プロトコルのエリアである。第５記憶部（４０６）は、プレディクテブ・ビヘイビアー・モディフィケーション・エンジン（９００１）との通信プロトコルのエリアである。第６記憶部（４０７）は、３６０度ウエブカメラ付ロボット（８０００）の制御と、６分割ディスプレイ式携帯端末装置（８３００）と６分割折り紙フルカラープリンタ（８６００）との通信プロトコルのエリアである。
【０１０７】
第１フラグポイント（４０８）は、セキュリティー・デジタル・フォレンジック・エンジン（２００１）との通信フラグを付与するノードである。第２フラグポイント（４０９）は、カバードサーベランス・エンジン（６００１）との通信フラグを付与するノードである。第３フラグポイント（４１０）は、他のコンテキスト・アウエアネス・エンジン（４００１）との通信フラグを付与するノードである。第４フラグポイント（４１１）は、コネクショニスト・アフォーダンス・エンジン（５００１）との通信フラグを付与するノードである。第５フラグポイント（４１２）は、プレディクテブ・ビヘイビアー・モディフィケーション・エンジン（９００１）との通信フラグを付与するノードである。第６フラグポイント（４１３）は、３６０度ウエブカメラ付ロボット（８０００）と、６分割折り紙フルカラープリンタ（８６００）と、６分割ディスプレイ式携帯端末装置（８３００）との通信フラグを付与するノードである。第０フラグポイント（４１４）は、第１フラグポイント（４０８）〜第６フラグポイント（４１３）間にまたがって処理する情報に通信フラグを付与するノードである。
【０１０８】
図１１は、このコンテキスト・アウエアネス・エンジン（４００１）をグローバル・インフォメーション・グリッド（１１０１）に組み込んだ配置を示す。すなわち、複数のコンテキスト・アウエアネス・エンジン（４２１、４２２、４２３、４２４、４２５、４２６、４２７、４２８、４２９、４３０）を、図１２に示すように立方体状（４３５）に配置して、グローバル・インフォメーション・グリッド（１１０１）の各層との配置形態（４４０）になる。
【０１０９】
そして更に、コンテキスト・アウエアネス・エンジン（４００１）はネットセントリックシステムと既存のシステムをつなぎとめる機能を有する。すなわち、コンテキスト・アウエアネス・エンジンはネットセントリックシステムの既存のシステムとネットセントリックシステムとのつなぎをするシステムエンジンであり、常に最新の情報検索の機能を有する。
そして、第１フラグポイント（４０８）〜第５フラグポイント（４１２）で、セキュリティー・デジタル・フォレンジック・エンジン（２００１）と、カバードサーベランス・エンジン（６００１）と、他のコンテキスト・アウエアネス・エンジン（４００１）と、コネクショニスト・アフォーダンス・エンジン（５００１）と、プレディクテブ・ビヘイビアー・モディフィケーション・エンジン（９００１）との連携を可能にする。
【０１１０】
そして、第３の情報の変換手段であるコネクショニスト・アフォーダンス・エンジン（５００１）について概略説明する。コネクショニスト・アフォーダンス・エンジン（Connectionist Affordance Engine,ＣＡＦＥ）とは、自律的学習機能を高めたり、自らのモチベーションを維持することを外部環境からみる方法を実行する機能である。
【０１１１】
図１３は、コネクショニスト・アフォーダンス・エンジン（５００１）の構成を示す。このコネクショニスト・アフォーダンス・エンジンは、６つの記憶部と７つのフラッグポイントを有す。すなわち、第１記憶部（５０２）、第２記憶部（５０３）、第３記憶部（５０４）、第４記憶部（５０５）、第５記憶部（５０６）、第６記憶部（５０７）と、第１フラッグポイント（５０８）、第２フラッグポイント（５０９）、第３フラッグポイント（５１０）、第４フラッグポイント（５１１）、第５フラッグポイント（５１２）、第６フラッグポイント（５１３）、第０フラッグポイント（５１４）である。
【０１１２】
第１記憶部（５０２）は、セキュリティー・デジタル・フォレンジック・エンジン（２００１）との通信プロトコルのエリアである。第２記憶部（５０３）は、カバードサーベランス・エンジン（６００１）との通信プロトコルのエリアである。第３記憶部（５０４）は、コンテキスト・アウエアネス・エンジン（４００１）との通信プロトコルのエリアである。第４記憶部（５０５）は、他のコネクショニスト・アフォーダンス・エンジン（５００１）との通信プロトコルのエリアである。第５記憶部（５０６）は、プレディクテブ・ビヘイビアー・モディフィケーション・エンジン（９００１）との通信プロトコルのエリアである。第６記憶部（５０７）は、３６０度ウエブカメラ付ロボット（８０００）の制御と、６分割ディスプレイ式携帯端末装置（８３００）と６分割折り紙フルカラープリンタ（８６００）との通信プロトコルのエリアである。
【０１１３】
第１フラグポイント（５０８）は、セキュリティー・デジタル・フォレンジック・エンジン（２００１）との通信フラグを付与するノードである。第２フラグポイント（５０９）は、カバードサーベランス・エンジン（６００１）との通信フラグを付与するノードである。第３フラグポイント（５１０）は、コンテキスト・アウエアネス・エンジン（４００１）との通信フラグを付与するノードである。第４フラグポイント（５１１）は、他のコネクショニスト・アフォーダンス・エンジン（５００１）との通信フラグを付与するノードである。第５フラグポイント（５１２）は、プレディクテブ・ビヘイビアー・モディフィケーション・エンジン（９００１）との通信フラグを付与するノードである。第６フラグポイント（５１３）は、３６０度ウエブカメラ付ロボット（８０００）と、６分割折り紙フルカラープリンタ（８６００）と、６分割ディスプレイ式携帯端末装置（８３００）との通信フラグを付与するノードである。第０フラグポイント（５１４）は、第１フラグポイント（５０８）〜第６フラグポイント（５１３）間にまたがって処理する情報に通信フラグを付与するノードである。
【０１１４】
図１４は、このコネクショニスト・アフォーダンス・エンジン（５００１）をグローバル・インフォメーション・グリッド（１１０１）に組み込んだ配置を示す。すなわち、複数のコネクショニスト・アフォーダンス・エンジン（５２１、５２２、５２３、５２４、５２５、５２６、５２７、５２８、５２９、５３０）を、図１５に示すように立方体状（５３５）に配置して、グローバル・インフォメーション・グリッド（１１０１）の各層との配置形態（５４０）になる。
【０１１５】
このコネクショニスト・アフォーダンス・エンジンにおいて重要な機能は、人間の知能の当たる記憶装置と判断基準を提示する機能であり、このプロセスは確率統計、確率推論等を用いる。そして、第１フラグポイント（５０８）〜第５フラグポイント（５１２）で、セキュリティー・デジタル・フォレンジック・エンジン（２００１）と、カバードサーベランス・エンジン（６００１）と、コンテキスト・アウエアネス・エンジン（４００１）と、他のコネクショニスト・アフォーダンス・エンジン（５００１）と、プレディクテブ・ビヘイビアー・モディフィケーション・エンジン（９００１）との連携を可能にする。
【０１１６】
そして更に、第４の情報の変換手段であるセキュリティー・デジタル・フォレンジック・エンジン（２００１）について概略説明する。セキュリティー・デジタル・フォレンジック・エンジン（Security Digital Forensics Engine，ＳＦＥ）とは、証拠を収集・保存する証拠情報で訴訟にても有効となる所見であるデジタル・フォレンジックを暗号化する機能である。
【０１１７】
図１６は、セキュリティー・デジタル・フォレンジック・エンジン（２００１）の構成を示す。このセキュリティー・デジタル・フォレンジック・エンジンは、６つの記憶部と７つのフラッグポイントを有す。すなわち、第１記憶部（２０２）、第２記憶部（２０３）、第３記憶部（２０４）、第４記憶部（２０５）、第５記憶部（２０６）、第６記憶部（２０７）と、第１フラッグポイント（２０８）、第２フラッグポイント（２０９）、第３フラッグポイント（２１０）、第４フラッグポイント（２１１）、第５フラッグポイント（２１２）、第６フラッグポイント（２１３）、第０フラッグポイント（２１４）である。
【０１１８】
第１記憶部（２０２）は、他のセキュリティー・デジタル・フォレンジック・エンジン（２００１）の通信プロトコルのエリアである。第２記憶部（２０３）は、現実世界コンテンツ入力操作部（００１０）と従来からある既存データベース（３００１）との通信プロトコルのエリアである。第３記憶部（２０４）は、コンテキスト・アウエアネス・エンジン（４００１）との通信プロトコルのエリアである。第４記憶部（２０５）は、コネクショニスト・アフォーダンス・エンジン（５００１）との通信プロトコルのエリアである。第５記憶部（２０６）は、強いセキュリティー処理を行うエリアである。第６記憶部（２０７）は、弱いセキュリティー処理を行うエリアである。
【０１１９】
第１フラグポイント（２０８）は、他のセキュリティー・デジタル・フォレンジック・エンジン（２００１）との通信フラグを付与するノードである。第２フラグポイント（２０９）は、現実世界コンテンツ入力操作部（００１０）既存データベース（３００１）との通信フラグを付与するノードである。第３フラグポイント（２１０）は、コンテキスト・アウエアネス・エンジン（４００１）との通信フラグを付与するノードである。第４フラグポイント（２１１）は、コネクショニスト・アフォーダンス・エンジン（５００１）との通信フラグを付与するノードである。第５フラグポイント（２１２）は、強いセキュリティー処理フラグを付与するノードである。第６フラグポイント（２１３）は、弱いセキュリティー処理フラグを付与するノードである。第０フラグポイント（２１４）は、第１フラグポイント（２０８）〜第６フラグポイント（２１３）間にまたがって処理する情報に通信フラグを付与するノードである。
【０１２０】
図１７は、このセキュリティー・デジタル・フォレンジック・エンジン（２００１）をグローバル・インフォメーション・グリッド（１１０１）に組み込んだ配置を示す。すなわち、複数のセキュリティー・デジタル・フォレンジック・エンジン（２２１、２２２、２２３、２２４、２２５、２２６、２２７、２２８、２２９、２３０）を、図１８に示すように立方体状（２３５）に配置して、グローバル・インフォメーション・グリッド（１１０１）の各層での配置形態（２４０）になる。
【０１２１】
図７では正則データ構造を定義し、図８では逆則データ構造を定義し、それらの組み合わせを図９で示した。図９で示した３つのグループ（イ）（ロ）（ハ）において、重要な要素は、そのデータ個々の重要性の程度を管理する必要がある。図１９は各データの重要性を加味したプロトコルの組み合わせ図である。この図１９で示す４つの四角形のそれぞれは、図８に示すフォレンジックデータに変換した第４の正則データ（１０９）と第９の正則データ（１１０）と、ネットセントリックシステムとのプロトコル格納の位置である第５の正則データ（１１１）と第１０の正則データ（１１２）の４つに相当する。あるいは、４つの四角形はそれぞれは、フォレンジックデータである第４の逆則データ（２０９）と第９の逆則データ（２１０）ネットセントリックシステムとのプロトコル格納の位置である第５の逆則データ（２１１）と第１０の逆則データ（２１２）に相当する。図１９では更に４つの四角形の中に×記号を付けた表示があるが、これは個々のデータの強弱性を表示するものである。４つの四角形の中で、×記号のない四角形はデータ管理を弱くしてよいものを意味し、×マークの四角形は強い管理を要求する。この４つの四角形は一つのボックスで表示するが図７と図８に示すデータを意味する。
【０１２２】
図１９の中で第１群データ列（７０１）は、弱いデータのみのストリームを意味し、第２群データ列（７０２）はそれより強いデータがある場合を意味し、第３群データ列（７０３）は更にそれより強いデータがある場合を意味し、第４群データ列（７０４）はもっと更に強いデータがある場合を意味し、第５群データ列（７０５）は強いデータのみのストリームを意味する。データストリームで考えると、この第１群データ列（７０１）〜第５群データ列（７０５）のいずれかになる。
【０１２３】
ここで重要性の区分け、すなわち強弱の状態Λは、数１で与える。数１（１）は弱い場合であり、数１（２）は強い場合である。
【０１２４】
【数１】
2007136010.tif 000003
【０１２５】
このセキュリティー・デジタル・フォレンジック・エンジン（２００１）のセキュリティー処理は第５記憶部（２０６）と第６記憶部（２０７）で行う。このエリアは図２０に示す。このエリアはメモリーアドレスを意味し、横（Ｎ番地）と縦（Ｍ番地）をとる。４つの四角形からなるボックスが図２０に示す７２０番地から７７０番地まで与えられる。そこで、図２３に示すように、強いセキュリティーエリアは、図２３に示す中央部のボックス群（７８０）である。また、弱いセキュリティーエリアは図２２に示すようにこのアドレス周辺部のボックス群（７８２）である。すなわち、第５記憶部（２０６）は中央部のボックス群に集められ、第６記憶部（２０７）は周辺部に集められる。そこで、強いセキュリティー処理と弱いセキュリティー処理を効率よく仕分けられる。なお、中央部のボックス群（７８０）と周辺部のボックス群（７８２）の間には、重要性を判断しかねるデータ群を集める中間部（７８４）を配してある。したがって、図１９に示す第１群データ列（７０１）では、セキュリティーの弱い状態でかけ、第５群データ列（７０５）は、セキュリティーの強い状態でかける識別を可能である。
【０１２６】
図２０のボックス群マトリックスは、データの重要性に応じて必要なセキュリティー・フォレンジックを付加し、さらにネットセントリックシステムからの乱数により唯一無二の情報を処理する場所を決定することができる。これによりいつでも、どこからでも、必要な情報を断続しないで継続してコンテンツ処理を行い、コンテキスト・アウエアネス・エンジン（４００１）での処理に繋げる。
【０１２７】
図２４は、ボックス群マトリックスを更に次元を高めて示す。図２４（ｂ）はセキュリティー強度の３次元表示を示し、図２４（ａ）はその立体模式的に表示したものである。ここで、ある要素データのセキュリティー強さの確率λ１と別の要素データのセキュリティーの強さの確率λ２と更に別の要素データのセキュリティーの強さの確率λ３でセキュリティー強度のベクトル表示Λを図示している。すなわち、このセキュリティー・デジタル・フォレンジック・エンジン（２００１）を備えることで、従来のシステム（１２）に比べて、データのセキュリティー強度を多次元で管理するネットセントリック形式になる。
【０１２８】
図２５は、更に大規模化したセキュリティーフォレンジックのメモリーノードを示している。一つのメモリユニット（７９０）は立方体として４９個(側面)ｘ７列で合計３４３個のノードがふくまれている立方体である。その他縦７個ｘ横７個で４９個のメモリノードがあり、それが７列に並んでいる。図２５のメモリユニット（７９０）は、セキュリティー・デジタル・フォレンジック・エンジン（２００１）のメモリーノードを持つ６面体の立方形であり、その形ですべての情報、管理、運用、蓄積、保守メンテナンスを行う機能である。
【０１２９】
そしてなお更に、プレディクテブ・ビヘイビアー・モディフィケーション・エンジン（９００１）について概略説明する。プレディクテブ・ビヘイビアー・モディフィケーション・エンジン（Predictive Behavior Modification Engine, ＰＢＭＥ）とは、予兆の発見（Chance Discovery）から行動変容（Behaviour Modification）のチャンスを発見支援するためのサブシステムのエンジンである。この機能によりこのシステムのユーザはその意思決定に重要な機会に予兆情報（Predictive Information）として利用できる。例えば、在宅の対象者自身あるいは対象者に医療情報あるいは健康管理情報を提供する医療健康管理者に予兆の発見と行動変容を知覚させる。
【０１３０】
図２６は、プレディクテブ・ビヘイビアー・モディフィケーション・エンジン（９００１）の構成を示す。このプレディクテブ・ビヘイビアー・モディフィケーション・エンジンは、６つの記憶部と７つのフラッグポイントを有す。すなわち、第１記憶部（９０２）、第２記憶部（９０３）、第３記憶部（９０４）、第４記憶部（９０５）、第５記憶部（９０６）、第６記憶部（９０７）と、第１フラッグポイント（９０８）、第２フラッグポイント（９０９）、第３フラッグポイント（９１０）、第４フラッグポイント（９１１）、第５フラッグポイント（９１２）、第６フラッグポイント（９１３）、第０フラッグポイント（９１４）である。
【０１３１】
第１記憶部（９０２）は、他のプレディクテブ・ビヘイビアー・モディフィケーション・エンジン（９００１）の通信プロトコルのエリアである。第２記憶部（９０３）は、カバードサーベランス・エンジン（６００１）との通信プロトコルのエリアである。第３記憶部（９０４）は、コンテキスト・アウエアネス・エンジン（４００１）との通信プロトコルのエリアである。第４記憶部（９０５）は、コネクショニスト・アフォーダンス・エンジン（５００１）との通信プロトコルのエリアである。第５記憶部（９０６）は、予兆の発見処理を行うエリアである。第６記憶部（９０７）は、行動変容処理を行うエリアである。
【０１３２】
第１フラグポイント（９０８）は、他のプレディクテブ・ビヘイビアー・モディフィケーション・エンジン（９００１）との通信フラグを付与するノードである。第２フラグポイント（９０９）は、カバードサーベランス・エンジン（６００１）との通信フラグを付与するノードである。第３フラグポイント（９１０）は、コンテキスト・アウエアネス・エンジン（４００１）との通信フラグを付与するノードである。第４フラグポイント（９１１）は、コネクショニスト・アフォーダンス・エンジン（５００１）との通信フラグを付与するノードである。第５フラグポイント（９１２）は、予兆の発見処理フラグを付与するノードである。第６フラグポイント（９１３）は、行動変容処理フラグを付与するノードである。第０フラグポイント（９１４）は、第１フラグポイント（９０８）〜第６フラグポイント（９１３）間にまたがって処理する情報に通信フラグを付与するノードである。
【０１３３】
図２７は、このプレディクテブ・ビヘイビアー・モディフィケーション・エンジン（９００１）をグローバル・インフォメーション・グリッド（１１０１）に組み込んだ配置を示す。すなわち、複数のプレディクテブ・ビヘイビアー・モディフィケーション・エンジン（９２１、９２２、９２３、９２４、９２５、９２６、９２７、９２８、９２９、９３０）を、図２８に示すように立方体状（９３５）に配置して、グローバル・インフォメーション・グリッド（１１０１）の各層での配置形態（９４０）になる。
【０１３４】
本発明の基本データ構造は、図７で説明したように１から６までのデータ指示領域を定めている。この１から６までのデータ記憶部に好適な手段は、サイコロダイス形状のような６面体の立方形にして、６面のいずれでもデータの書き込み読み出しが可能な記憶部がよい。そこで先に述べた３４３個のメモリーノードを構成することが容易になる。
【０１３５】
図２９は６面体の立方形の球体垂直磁化膜記憶部（３０００）である。６面体の壁部（３０１１、３０１２、３０１３、３０１４）で球体垂直磁化膜体を包んでいる。球体垂直磁化膜体は最外部の第１層（３００１）から順次第２層（３００２）、第３層（３００３）、第４層（３００４）、第５層（３００５）、第６層（３００６）で記録膜を構成し、中心に核（３００７）を設ける。各層（３００１、３００２、３００３、３００４、３００５、３００６）はコバルトクロム系材料の垂直磁化膜である。図３０はこの球体の駆動方法を示す。６面体の壁部（３０１２）には空気流放出用の穴があり、空気流を注入する。又、直交する壁部（３０１２）にはエアーテーブルの穴がある。注入された空気流（３０４０）は各壁面に衝突し第２の反射空気流（３０４１）、第３の反射空気流（３０４２）、第４の反射空気流（３０３４）となって、球体を回転させる。回転体は球体であり、高圧空気流の作用で回転体が高速回転する。
【０１３６】
図３１はこの６面体の壁部（３０１１、３０１２、３０１３、３０１４）に６つの磁気ヘッド（３０３０、３０３１、３０３２、３０３３、３０３４、３０３５）の配置を示す。各磁気ヘッドは各層毎の書き込み読み出し用である。各垂直磁化膜には変調方式の異なる信号を用いた各磁気ヘッドで書き込まれるので、各垂直磁化膜の信号は分離して読み出しが可能である。そして、その回転は無限回の軌道を通る。各磁気ヘッドは数〜数十ミクロンのトラッキング幅に応じた幅で構成し、この磁気ヘッドが一本の帯状記録トラック（３０５０）を無限回追随する仕組みである。そして、最外部の第１層（３００１）及び最外周に近い層には、セキュリティー・デジタル・フォレンジック・エンジンで定めた強いセキュリティー処理をされたデータを記録して、最内周部の第６層（３００６）及び最内周部近い層には、セキュリティー・デジタル・フォレンジック・エンジンで定めた弱いセキュリティー処理をされたデータを記録する。これは、球体の外周側ほど記録容量が大きいので、強いセキュリティー処理をされたデータほど信頼性を上げる効果が得られることによる。
【０１３７】
各層毎の記録容量を大きくするためには、図３２に示すような記憶容量に応じて１セントコイン径からゴルフボール大、野球ボール大程度に大きくする。図３３は更に容量を大きくして、この６面体球体垂直磁化膜記憶部を積上げた構成であり、図３４は更に積層させて、マトリックス状に３４３個のメモリーノードを構成して、一つのメモリユニットにする。
【０１３８】
図３５は本発明の図７に示した基本データ構造でこのメモリーに記録する関係とメモリーユニット（７９０）の関係を示す。帯状記録トラック（３０５０）はメモリーユニット（７９０）にあり、その帯状記録トラック（３０５０）の中に図７と図８で示した基本データ構造（１００ａ、１００ｂ）を記録する。
【０１３９】
以上、本発明の球体垂直磁化膜記憶部を説明したが、記憶部としては円盤状ディスクであっても同じ機能を有する。また、球体垂直磁化膜記憶部は、各エンジンの要素として説明したが、各エンジンに組み込む装置としてもよい。
【０１４０】
本発明の球体垂直磁化膜外部記憶部（７０）は、図３４に示すメモリーユニット（７９０）を更に積層させた大規模メモリーである。この球体垂直磁化膜外部記憶部（７０）は、ネットセントリックシステム（１）を援用する装置である。
【０１４１】
また更に、入出力部となる６分割ディスプレイ式携帯端末装置（８３００）について概略説明する。図３６は本システムに好適な６分割ディスプレイ式携帯端末装置である。送受信部本体（１８３１）には、カバードサーベランス・エンジン（６００１）との交信に必要な内蔵するプロトコルと、操作部（１８３２）と、簡易表示部（１８３３）と、３６０度ウエブカメラロボット（８０００）との交信をする送受信部及びカメラ（１８３４）と、６分割ディスプレイ本体（１８４２）を折り畳む状態で収納する収納部（１８３５）と、図３２に示す１００テラのメモリーユニット（７９０）を内臓する。６分割ディスプレイ本体（１８４２）は６つの表示に分割するディスプレイである。その構成は第一分割表示部（１８３６）と、第ニ分割表示部（１８３７）と、第三分割表示部（１８３８）と、第四分割表示部（１８３９）と、第五分割表示部（１８４０）と、第六分割表示部（１８４１）から成る。なお、この分割表示は６分割に限定されるものではなく、２分割や３分割も可能である。また更にこの表示部は、この６分割ディスプレイ本体（１８４２）の裏面側（１８４３）でも表示する。なおこの送受信部本体（１８３１）の１００テラのメモリーユニット（７９０）は、３６０度ウエブカメラロボット（８０００）と、イメージデータ、テキストデータや音声データの相互交換を可能とする。そして、６分割ディスプレイ式携帯端末装置（８３００）は、セキュリティー・フォレンジック・エンジン（２００１）で生成するフォレンジクデータ、既存の基幹データーベース（１２）のコンテンツ、コンテキスト・アウエアネス・エンジン（４００１）のコンテキストデータ、コネクショニスト・アフォーダンス・エンジン（５００１）で生成される最新のコンテキストデータ、カバードサーベランス・エンジン（６００１）で生成されるコンテキストデータ、３６０度ウエブカメラロボット（８０００）で生成される最新状況コンテンツを上記でのべた２分割、３分割、４分割あるいは６分割の表示でフルカラーハイビジョンクラスのイメージ画像品質でいつでも、どこでも閲覧が可能になる。そして、この６分割ディスプレイ式携帯端末装置をネットセントリックシステムに組み込むことで、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になる。
【０１４２】
入力部となる３６０度ウエブカメラ付ロボット（８０００）について概略説明する。図３７はその構成を示し、３６０度ウエブカメラ付ロボットの制御及びカバードサーベランスエンジンとの交信部（１８５０）と、３６０度視覚が可能なカメラ本体（１８５５）と、内蔵した垂直磁化膜記憶メモリー（１８５１）と、７つの広角レンズ部（１８５３）と、耐破壊プラスチックのカバー（１８５４）と、解像度１０００ピクセルの聴覚機能（１８５６）から成る。制御及び交信部（１８５０）は、６分割ディスプレイ式携帯端末装置（８３００）と折りたたみ紙プリンタ（８６００）とも連動させる。ユーザはカメラ（１８５５）と聴覚機能（８５６）で検出したリアルコンテンツをカバードサーベランス・エンジン（６００１）を経由して、コネクショニスト・アフォーダンス・エンジン（９００１）と常に交信することにより、一方のユーザが他方のユーザの状況を判断するに必要な情報収集とその状況判断により、ユーザがおかれている環境や状況に対応できる。そして、制御及び交信部（１８５０）を介して、視覚情報をすぐにプリンタ（８６００）で印字して、シェアードシチュエーションアウエアネスに効率化を促す。そこで、この３６０度ウエブカメラ付ロボット（８０００）は、他方のユーザが置かれた密室性の壁は乗り越えられ、一方のユーザが状況判断の支援できる。
【０１４３】
そして次ぎに、出力部となる６分割折り紙プリンタ（８６００）について概略説明する。図３８に示す６分割折り紙プリンタ（８６００）は、印刷部（１８７４）とプリンタの紙の挿入口（１８７２）とアウトプット部（１８７５）と制御コントロール部（１８７３）で構成されている。制御コントロール部（１８７３）であり、垂直磁化記憶装置が内蔵されている。この制御部にてYMCKのRIP（Raster Image Processing）処理とCMS（カラーマネージメントシステム）及び印刷組版と面付けを同時並行として行う機構である。このプリンタの特徴は、６分割に折りたたんであるのを開いた状態で示すオフィスの普通紙（１８７０）を、６分割に折りたたんだオフィスの普通紙（１８７１）の状態で、プリンタの紙の挿入口（１８７２）からプリンタに入り、印刷部（１８７４）は折り畳んだ状態をこの紙通過プロセスで一枚の元の状態に戻し、両面をフルカラーYMCKオフセットカラー印刷の印字品質で印刷をする。アウトプット部（１８７５）は紙を通常のままでアウトプットするかまた再度２分割をするかを制御する部分である。更に、画像データと音声データを印刷する。
このプリンタのスピードは１００ｐｐｍ（１分間に１００枚）印字でよい。大きさは従来技術のレザープリンタのデスクトップタイプとほぼ同じ大きさでよい。そして、３０ｐｐｍクラスと同じ大きさ:縦横高さそれぞれ２０センチx３０センチx４０センチと同等であるプリンタ方式であるが、液体トナーを使って通常の印刷物と同じ印字品質で３０００DPI(dot per inch)の印字品質が可能であればよい。そして、６分割にする紙は普通紙あるいはティッシュペーパーのように薄い紙であっても、意図的には破くことができない紙にフルカラー印刷をする。更に３６０度ウエブカメラ付ロボット（８０００）と同時使用することで本発明システムはより実用的になる。特に、６分割表示は、６分割ディスプレイ式携帯端末装置（８３００）と同じように、この６分割ディスプレイ式携帯端末装置をネットセントリックシステムに組み込むことで、誰（ＷＨＯ）が,いつ（ＷＨＥＮ）に,何処（ＷＨＥＲＥ）で,何（ＷＨＡＴ）の行為を何故（ＷＨＹ）行ったのかをいつでも、どこでも閲覧が可能になる。また、セキュリティー・フォレンジック・エンジン（２００１）との連動で誰が、どこで、何の目的で、いつ、どのように印刷をしたのかが、すべて記録がのこっており、そのままフォレンジックプリンタとしての証拠物件としての効力がある。
【０１４４】
図３９は、本発明のネットセントリックシステムにおける、シェアード・シュチエーション・アウエアネスのアルゴリズムである。
（１）発生したイベントに対し異変の認識（１１１１）は、この現実世界コンテンツ入力操作部（００１０）あるいは３６０度ウエブカメラ付ロボット（８０００）で入力を行う。主にアナログ情報としてのシステムの利用者が発生したイベントに対して人為的に異変を認識することを意味している。
（２）ユーザの定常的コンテンツ（１１１２）は、スチュエーションA （Situation-A）とする。スチュエーションAは固定的情報であり流動的ではない。
（３）流動性コンテンツ（１１１３）は、スチュエーションB（Situation-ｂ）とする。スチュエーションBは、本発明のネットセントリックシステムから生成されたコンテキストを中心にした流動性のある新鮮な情報提供であり、生成した本人とその周りの状況の人との関係性に重きをおいた状況から生まれる情報である。
（４）定常的コンテンツ（１１１２）のコンテンツの情報共有（１１０４）を示す。
（５）カーネル部分（１１１５）はコンテキスト・アウエアネスであり、ネットセントリックとして発生したコンテキストの情報郡を図１に示す既存のデータベース（１２）と本発明のネットセントリックシステムのコア部（１０００）にあるように、ネットセントリックとしての情報処理をして生成する。
（６）セルフ・シンクロナイゼーション（１１１６）は、プレディクテブ・ビヘイビアー・モディフィケーション・エンジン（９００１）で実行される。
（８）発生したイベントに対しす異変の認識（１１１１）から流動性コンテンツ（１１１３）への配信は、配信経路（１１１７）を介して、直接アウエアネス情報としてウエブカメラロボット（８０００）経由して供されるものである。そこでユーザは最新情報をコンテキストの状態で認識ができる。
（９）発生したイベントに対しす異変の認識（１１１１）から定常的コンテンツ（１１１２）への配信は、配信経路（１１１８）を介して、直接にアウエアネスのアナログ情報として提供さるものである。具体的なアナログ情報とは、本発明のユーザが日々接する、在宅医療やヘルスケアサービスの対象者の現状などを指す。
【０１４５】
図４０は、シェアード・シュチエーション・アウエアネスのアルゴリズムを示す。
（１）情報生成のドメイン領域を生成する。そのドメインは図３に示すグローバルインフォメーショングリッド（１１０１）の第１層（２１）〜第５層（２５）と、複数の通信経路（２９、３０、３１、３２、３３）認識のドメイン領域を定める。
（２）図４０にある２０７，２０８，２０９は図３にある２０６から２１５までのネットセントリックソルージョンのユニットの範囲をしている。
（３）図４０のドメイン領域（１２１０）は、３６０度ウエブカメラ付ロボット（８０００）、６分割折り紙プリンタ（８６００）、６分割ディスプレイ式携帯端末装置（８３００）が稼動する範囲まで含めて定める。
（４）コラボレーションのドメイン領域（１２１１，１２１２）は、本発明の技術コア部（１０００）の各エンジンであるセキュリティー・デジタル・フォレンジック・エンジン（２００１）、コンテキスト・アウエアネス・エンジン（４００１）、コネクショニスト・アフォーダンス・エンジン（５００１）、カバードサーベランス・エンジン（６００１），プレディクテブ・ビヘイビアー・モディフィケーション・エンジン（９００１）間と、図２の第５層（２５）で定める。
（５）コラボレーションのドメイン領域（１２１１、１２１２）は、図５にある複数のカバードサーベランス・エンジン（６２１、６２２、６２３、６２４、６２５、６２６、６２７、６２８、６２９、６３０）にて構成する立方体状（６３５）の領域で定める。
（６）情報ドメイン（１２１３）は、図６の立方体状（６３５）の領域で定める。
（７）情報共有の範囲（１２１４）は、シェアード・シュチエーション・アウエアネスの領域になる。
（８）セルフ・シンクロナイゼーションのドメイン領域（１２１５）は、図２にある第４層（２４）の情報ドメインで定める。
（９）各エンジン通信プロトコールの位置（１２１６，１２１７，１２１８，１２１９，１２２０，１２２１，１２２２）と上記ドメインの位置関係を定める。
（１０）グローバル・インフォメーション・グリッドをつなぐための通信フラグを付与するノード（１２２３，１２２４，１２２５，１２２６，１２２７，１２２８，１２２９）と上記ドメインの位置関係を定める。
以上のアルゴリズムでシェアード・シュチエーション・アウエアネスを行う。
【０１４６】
図４１は情報提供からアウエアネスをへて行動変容にいたるまでの経過プロセスである。
（１）情報範囲設定（１３０１）のステップ。
（２）シェアード・アウエアネス（１３０２）のステップ。
（３）プレディクティブ・ビヘービア・モディフィケーション（１３０３）のステップ。
（４）セルフ・シンクロナイゼーション（１３０４）のステップ。
（５）セキュリティー・フォレンジックエンジン（２００１）のセキュリティー・フォレンジックのステップ（１３０６）と、コンテキスト・アウエアネス・エンジン（４００１）のコンテキスト・アウエアネスのステップ（１３０７）と、既存基幹系データベースのステップ（１３０８）と、コネクショニスト・アフォーダンス・エンジン（５００１）のコネクショニスト・アフォーダンスのステップ（１３０９）と、カバードサーベランス・エンジン（６００１）のカバードサーベランスのステップ（１３１０）と、プレディクテブ・ビヘイビアー・モディフィケーション・エンジン（９００１）のプレディクテブ・ビヘイビアー・モディフィケーションのステップ（１３０８）とで定める本発明の処理を行う領域を定めるステップ（１３１１）。
（６）プレディクティブ・ビヘイビアー機能である予兆の発見とそれに伴う、行動変容のチャンスの発見のステップ（１３１２）。そこで従来のプラットフォームセントリックとは異なる本発明のネットセントリックが得られる。本発明においては、情報を単なるデーターベース上に情報資産として蓄積をすることではなく、流動性情報としての新しい情報価値の創生を促すことが本発明の意義である。
【０１４７】
図４２は本発明のネットセントリックシステムのトポロジーを示す。現実世界のコンテンツを集める３６０度ウエブカメラロボット（８２０，８２１，８２２，８２３，８２４，８２５，８２６）は、から各種エンジンのバックアップの層（８２７，８２８，８２９，８３０，８３１）で受けて、これで加工されたデータはさらにインタオペラビリティーのプロトコール（８３２，８３３）と、アジリティのプロトコール（８３４）と、シェアードシュチエーションアウエアネスのプロトコール（８３５，８３６）と、セルフ・シンクロナイゼーションのプロトコール（８３７、８３８）で受ける。それらのプロトコールはフラグポイント（８３９，８４０，８４１，８４２，８４３，８４４，８４５）と結びつくことで、初めてネットセントリックとしてのグローバル・インフォメーション・グリッドとの交信が可能となる。これらがグローバル・インフォメーション・グリッドでいうコグニティブのレイヤーであり、ネットセントリックソルージョンが従前のようにあるイベント異体して、入力データを処理してアウトプットを出すいうフローとはことなる。ネットセントリックソルージョンは、この図４２が示すように、情報処理された意味のあるコンテンツとしてのコンテキスト情報を必要な人が最適な仲間を携えて、情報の共有から、その共有を相互に体感することで新しい解決策を見出すことが大きな特徴となる。この図４２はあくまでもネットワークソルージョンとそれを必要とする利用者間が総合に信頼関係を樹立し、あらたなる行動変容を促すたまの簡便はマトリックスを示している。
【０１４８】
図４３は図４２と本発明の分散型トポロジーの関係を示す図である。図４３（ａ）は本発明の分散型トポロジーであり、図４３（ｂ）は図４２と同じである。図４３（ｂ）に示す。図４３（ａ）に示す各エンジンのバックアップ層（１８９８、１８９９、１９００、１９０１、１９０２、１９０３、１９０４、１９０５、１９０６、１９０７、１９０８、１９０９、１９１０、１９１１）はループ（１９１６）を描くが、図４３（ｂ）の横串経路（１９１２、１９１３、１９１４、１９１５）は分散型トポロジーではループ（１９１６）から離れた短絡経路となる。
【０１４９】
この意味は、本発明のネットセントリックシステムで最適な位置に情報を格納することができることを表す。本発明の垂直磁化膜記録部は７層の構造に分かれている。本発明の球体に対する垂直磁化磁気記録記録の状態の正常やセキュリティの強度を量る方法として、ＭＴＳ（Maharanobis Taguchi System）法のマハラノビスの距離の数２とスモールワールド理論式３（数３）から本システムの垂直磁化磁気記録記録の位置状態のデータ構造とアルゴリズムを以下詳述する。
【０１５０】
【数２】
2007136010.tif 000004
【０１５１】
【数３】
2007136010.tif 000005
【０１５２】
数３では、k ネットセントリック群の母集団の平均を μj = （ μ1j， μ2j， ... ， μpj ）'（ j = 1，2， ... ，k ），既存データの観測値を X= （ X1， X2， ... ， Xp ）' とする。 
ネットセントリック群の分散共分散行列を Σj，その逆行列を Σj - 1 した場合，数３にてマハラノビス距離を計算することにより、ネットセントリック上での最適な群に入ることを判定ができる。そして、数２から、Eはネットセントリック上で最適な位置に情報を格納することを連結性の最大化Wとすると、それに相対する情報を格納するための時間的リソースのコストは最小化する。ただし、λは0以上１以下のセキュリティー強度のパラメーターである。
【０１５３】
この情報格納位置決めは、ネットセントリックシステム的に行う。そこで、必要とする情報を必要とする時間と場所は、正確に且つデジタルフォレンジックシステムの特性を付加した安全性を伴って、情報発信と記録とアクセスおよびバックアップがネットセントリックとして機能する。MTSをこの垂直磁化磁気記録の状態や正常やセキュリティの強度を正確に調べることを自動的に行う。本発明においては、従来のデータベース管理から得られるエベント、本人性別確認、場所情報等からなる組合せ正則値を、複数の既存のデータベースの情報郡より予め取得して正常値データ群を構築するのである。これらの正常値組データ群に基づいて多次元空間を構築してゆくことでネットセントリックの手法を屈指する。さらに、本発明のネットセントリック上各エンジン（２００１,４００１，５００１，６００１）で生成された新規のデータと１００１での既存のデータとの関係は、スモールワールド理論式２（数２）を用いる。そこで、取得可能となる新規の情報の組み合わせは、マハラノビスの距離を求めることで位置が決まる。以上のようにMTS法とスモールワールド理論を用いることで、インタオペラビリティ（８３２，８３３）と、アジリティー（８３４，８３５）と、シェアードシチュエーションアウエアネス（８３６，８３７）と、セルフシンクロナイゼーション（８３８）に存在する各プロトコルは、一つのネットセントリック上での稼動をグローバル・インフォメーション・グリッドで可能とする。
【実施例２】
【０１５４】
図４４は生活習慣病のヘルスケアへの応用例である。この図４４においては、本発明のネットセントリックソルージョンの応用技術として虚血性心疾患病患者への治療とその家族も含めた患者教育にたいしての応用の実施例を説明する。
【０１５５】
虚血性心疾患病は生活習慣病としての重要な循環器病であり、医学的な見地よりの治療を患者が自らのも滞りなく行う必要がある。虚血心疾患は人間の冠動脈への血流が障害隣、心筋が必要とするエネルギー基質や酸素が十分に供給されない状態を心筋虚血ともいう。心筋障害を起こす原因が冠動脈疾患であり、虚血性心疾患という。これらの病を治療したりすることは、通院をしてすぐによい結果でるのではなく、かなりの長期間2年から3年の間にゆっくりと回復するのである。医者と患者とその家族の間にての緊密な現状より悪くならない治療法が要である。たがって、医療サイドからみると患者の在宅で医師の支持したないようを実行しているかが大切な医療行為である。本発明にて詳述したように「医療行為における密室性」の解決に本発明のネットセントリックソルージョンが適している。
以下添付図面にしたがい、各ステップの虚血性心疾患病患者と在宅医療と虚血性心疾患病治療として、その患者教育での応用システムとしての本発明を特異性を説明する。
【０１５６】
（そのステップ１）図４４において３５０１のステップは、初期問診の位置は医者をはじめとした医療従事者と患者とその家族およびその家族が所属する地域社会上での生活の場を意味している。虚血性心疾患は、その患者の医者との親身な問診とその患者が住む地域社会でにおいても、活躍ができることがもっとも大切である。すなわち、医者よりだされる医学的診断の治療行為は虚血性心疾患病患者にとってみるとその治療は在宅でおこなわれることが大半である。先述したように、その医者にとってみると、在宅でおこなわれる患者自身の治療は密室性があるといえる。
【０１５７】
（そのステップ２）図４４の３５０２の安心感ステップは、図１にて述べたセキュリティー・フォレンジック・エンジン（２００１）にての処理をする方向性を意味している。このセキュリティー・フォレンジク・エンジンに入力することは、特に医者と患者の個人情報、家族病歴情報、遺伝に関する情報等がありすべてを厳格に守る必要がある。従来の方法は個人情報を守ることをモットーとしているにすぎなかった。そこには、何らかの医療過誤が発生しても、医者側も患者側も科学的に証明が可能な証拠能力をもった証拠となりうるコンテンツは存在することがなかった。本発明におけるセキュリティー・フォレンジク・エンジン（２００１）は、従前のあいまいな機密保持の関係をさらにしっかりとまもることができるようになる。
【０１５８】
（そのステップ３）３５０３のステップは、医療従事者と患者との現実リアルの会話による医療診断行為である。その際は、３６０度のウエブカメラロボット（８０００）を利用し医療側の診察室にそなえておき、医療行為の一環としての患者の顔、態度、質問の回答への患者の反応などを必要な範囲でデジタル処理をしておく。その処理データーは次に述べるコンテキスト・アウエアネス・エンジン（４００１）にて、現実世界のリアルコンテンツをデジタル処理して、デジタル処理加工ができるようにしておく。問診回帰ステップ（３５０６）は、３５０２のステップで効果の上がらなかった場合は再度入り口からの再スタートする経路を示している。
【０１５９】
（そのステップ４）ステップ（３５１１）は、ステップ（３５０４）のコンテキスト・アウエアネス・エンジンにいたる工程である。このコンテキスト・アウエアネス・エンジン（４００１）は糖尿病の早期発見をめざして、医療従事者側と患者とその家族関係性の統括を作用するためにつかわれる。このエンジンにおいては虚血性心疾患の患者とその家族関係およびその患者への医療従事者とが総合間の責任範囲でのその患者にとっての新しい医療上の問題点を指摘することができるようにしている。
【０１６０】
(そのステップ５)ステップ（３５０４）の認識形態は、本発明におけるコネクショニスト・アフォーダンス・エンジン（５００１）を明示しており、虚血性心疾患病患者にとっての大切な栄養療法情報、運動療法情報、ストレスリリース療法などの虚血性心疾患患者教育の基本３要素のデータ処理おこなう。このステップ（３５０４）の認識形態上でのデータ処理により、患者のこれまでの生活習慣の中での患者教育にとってはあまり好ましくない生活態度（喫煙、ストレスによる飽食、運動不足等々）を少しずつできる範囲から改変をしていけるように支援するシステムとなる。
【０１６１】
(そのステップ６) ステップ（３５１３）は、ステップ（３５０５）の自律監視のカバードサーベランスエンジン（６００１）への工程を示している。虚血性病患者の場合は、特に医療機関でのトレッドミルや自転車エルゴメーター等の運動負荷心電図は病院で行うが、大方は通常の日常生活での運動療法を主力におこなうことになる。そこで本発明は上記で述べたセキュリティー・フォレンジック・エンジン（２００１）やコンテキスト・アウエアネス・エンジン（４００１）との連動において虚血性心疾患病患者への患者教育を断続させることなく、患者の在宅の場所と医療従事者の場所は遠くはなれていても必要な状況判断ができるようにした。これにはこの発明を具体的につかうためには医療者側と患者側との合議にもとづいた合意事項をとることが前提である。カバード・サーベランス・エンジンはあくまでも構造的にあらかじめおこりうることを想定してシナリオをしっかりつくりあがることが前提となる。それには、本発明の実施にはかなりの具体的な要件がシナリオを作成時に入手可能となる。
【０１６２】
図４４の工程（３５０９）は、これらに医者と患者の合議事項が不成立の場合は再度ステップ（３５０２）のなら問診による診断を再度開始することになる。
【０１６３】
図４４のステップ（３５１３）は、ステップ（３５０６）のプレディクティブビヘイビアモディフィケーション・エンジンに通じる回路である。ステップ（３５０６）のプレディクティブビヘイビアモディフィケーション・エンジンは図９００１のことをさしている。虚血性心疾患病患者の大方は行動変容教育が必要であり、従来からあるシステムはこの内容でのサポートシステムは存在していない。虚血性心疾患の患者がいかにしてみずからが進んで毎日の生活のなかから、自らの予兆を発見することが可能となるように、いかにして行動変容へのチャンス発見につなげるのがよいのかを生み出す仕組みである。
【０１６４】
図４４にある工程（３５１５）は、グローバルインフォメーショングリッド（１１０１）をさしており、虚血性心疾患の患者はグローバルインフォメーショングリッドを介することで、世界中の虚血性心疾患の患者の現状を把握できる。また、３６０度ウエブカメラロボット（８０００）、垂直磁化膜式外部メモリー（７０）、６分割ディスプレイ式携帯端末装置（８３００）、６分割折り紙プリンタ（８６００）との連携のシステムにより、現状の悪化を先延ばしにしてゆくことが可能となる。
【実施例３】
【０１６５】
この図４５においては、本発明のネットセントリックソルージョンの応用技術としてII型糖尿病患者への治療とその家族も含めた患者教育にたいしての応用の実施例を説明する。糖尿病は大きくI型とII型に分けて医学的な見地よりの治療を行っている。I型糖尿病患者の糖尿病発生が生得的または遺伝的に発生するのとは異なり、II型糖尿病患者はその患者の生活習慣やその患者が所属する企業や地域社会での人間関係の間での軋轢から生まれる社会的ストレス等が主なる原因とされている。糖尿病の患者の治療はその９０％以上が在宅医療としての治療になっている。したがって、本発明にて詳述したように「医療行為における密室性」の解決に本発明のネットセントリックソルージョンが適している。
【０１６６】
以下添付図面にしたがい、II型糖尿病患者と在宅医療と糖尿病治療として、その患者教育での応用システムとしての本発明の特異性を説明する。
【０１６７】
（その０１）図４５においてステップ（３５５０）の位置は、医者をはじめとした医療従事者と患者とその家族およびその家族が所属する地域社会上での生活の場を意味している。II型糖尿病患者はその患者の医者との親身な問診とその患者が住む地域社会においても活躍ができることがもっとも大切である。すなわち、医者よりだされる医学的診断の治療行為はII型糖尿病患者にとってみるとその治療は在宅でおこなわれることが大半である。先述したように、その医者にとってみると、在宅で行われる患者自身の治療は密室性があるといえる。
【０１６８】
（その０２）図４５の３５５１は図１にて述べたセキュリティー・フォレンジック・エンジン（２００１）にての処理をする方向性を意味している。このセキュリティー・フォレンジク・エンジンに入力することは特に医者と患者の個人情報、家族病歴情報、遺伝に関する情報等がありすべてを厳格に守る必要がある。従来の方法は個人情報を守ることをモットーとしているに過ぎなかった。そこには、何らかの医療過誤が発生しても、医者側も患者側も科学的に証明が可能な証拠能力をもった証拠となりうるコンテンツは存在することがなかった。本発明におおける２００１のセキュリティー・フォレンジク・エンジンは従前のあいまいな機密保持の関係をさらにしっかりと守ることができるようになる。
【０１６９】
（その０３）図４５のステップ（３５５４）は、ステップ（３５５５）である医療従事者と患者との現実リアルの会話による医療診断行為である。その際は３６０度のウエブカメラロボット（８０００）を医療側の診察室にそなえておき、医療行為の一環としての患者の顔、態度、質問の回答への患者の反応などを必要な範囲でデジタル処理をしておく。その処理データは次に述べるコンテキスト・アウエアネス・エンジン（４００１）にて現実世界のリアルコンテンツをデジタル処理して、デジタル処理加工ができるようにしておく。図４５のステップ（３５５６）は、ステップ（３５５５）で効果の上がらなかった場合は再度入り口からの再スタートする工程にしている。
【０１７０】
（その０４）図４５のステップ（３５５３）は、ステップ（３５５４）のコンテキスト・アウエアネス・エンジンにいたる工程である。このコンテキスト・アウエアネス・エンジン（４００１）は糖尿病の早期発見をめざして、医療従事者側と患者とその家族関係性を統括を作用するためにつかわれる。このエンジンにおいてはII型糖尿病患者とその家族関係およびその患者への医療従事者とが総合間の責任範囲でのその患者にとっての新しい医療上の問題点を指摘することができるようにしている。
【０１７１】
図４５のステップ（３５５７）は本発明におけるコネクショニスト・アフォーダンス・エンジン（５００１）を明示しており、II型糖尿病患者にとっての大切な栄養療法情報、運動療法情報、ストレスリリース療法などの患者教育の基本３要素のデータ処理おこなう。このステップ（３５５７）でのデータ処理により、患者のこれまでの生活習慣の中での患者教育にとってはあまり好ましくない生活態度（喫煙、ストレスによる飽食、運動不足等々）を少しずつできる範囲から改変をしていけるように支援するシステムとなる。
【０１７２】
図４５のステップ（３５５８）は、ステップ（３５５９）のカバードサーベランス・エンジン（６００１）への工程をしめす。いる。カバードサーベランス・エンジン（６００１）である。II型糖尿病患者の場合はとくに医療機関の治療は年間にすると合計でも１ヶ月のなく、大方は通常の日常生活での習慣を治療プログラムにしたがって変えることが目的となっている。大方の医療従事者も糖尿病の治療のための患者教育はすべての医療側の支持行為は患者およびその家族にまかせきりになっている。そこでは、医療側からの患者の今の状態を掌握するための手段は現状ではほとんどないのが現状である。
【０１７３】
そこで本発明は上記でのべたセキュリティー・フォレンジック・エンジン（２００１）やコンテキスト・アウエアネス・エンジン（４００１）との連動において、II型糖尿病患者への患者今日教育を断続させることなく、患者の在宅の場所と医療従事者の場所は遠くはなれていても必要な状況判断ができるようにした。これにはこの発明を具体的につかうためには医療者側と患者側との合議にもとづいた合意事項をとることが前提である。カバード・サーベランス・エンジンはあくまでも構造的にあらかじめおこりうることを想定してシナリオをしっかりつくりあがることが前提となる。それには、本発明の実施にはかなりの愚弟的な要件がシナリオを作成時に入手可能となる。
【０１７４】
図４５のステップ（３５６１）はこれらに医者と患者の合議事項が不成立の場合は再度ステップ（３５５０）なら問診による診断を再度開始することになる。ステップ（３５６１）はその戻りのルートである。
【０１７５】
図４５のステップ（３５５０）は、ステップ（３５６２）のプレディクティブビヘイビアモディフィケーション・エンジンに通じる工程である。ステップ（３５６２）のプレディクティブビヘイビアモディフィケーション・エンジン（９００１）のことを示している。II型糖尿病患者の大方は過去の習慣をいきなり、すてることは不可能であるとされている。ステップ（３５６２）では、II型糖尿病患者への行動変容教育は実際としてはかなり困難をともなうのが現状であり、従来からあるシステムはこの内容でのサポートシステムは存在していない。特にII型糖尿病患者は医療サイドの支援がなくなると、たちまちうちに、合併症を引き起こしてしまう可能性が極めて高い。その合併症とは（イ）糖尿病性神経障害、（ロ）糖尿病性網膜症、（ハ）糖尿病性白内障、（ハ）糖尿病性腎症、（ニ）動脈硬化性血管障害、（ホ）高脂血症、（ト）湿疹、皮膚炎、（チ）しびれ、神経痛、（り）歯槽膿漏、（ヌ）虚血性心疾患、（ル）下肢の壊疽、（ヲ）膀胱炎などである。これまでの病院内の情報システムはいわゆる基幹系のシステムにつなげることだけを目的にしている。これらの合併症にいたることをできるだけ先に延期することが今の時期に大切であるとみられている。この図４５のステップ（３５６２）は、以上述べた合併症をいたらないようにいかにしてその予兆を本システムの利用者自らが使い、さらにいかにして行動変容へのチャンス発見につなげるのがよいのかを生み出す仕組みでもある。
【０１７６】
図４５にあるステップ（３５６４）は、グローバル・インフォメーション・グリッド（１１０１）を示しており、II型糖尿病患者はグローバル・インフォメーション・グリッドを介して国際糖尿病機構（International Diabetes Federation）とのリンクもできるようにしてある。２０２０年には全世界の糖尿病患者は約３億人にも増加すると予測されており、その中心が日本はじめＵＳＡ，ＥＵの増加傾向より多くなりはじめている。ステップ（３５６３）は、ステップ（３５６４）へいたるまでの回路である。
【０１７７】
図４５のステップ（３５６５）は、３６０度ウエブカメラロボット（８０００）、垂直磁化膜式外部メモリ（７０）、６分割ディスプレイ式携帯端末装置（８３００）、６分割折り紙プリンタ（８６００）との連携のシステムである。
【０１７８】
在宅医療においてもっとも大切な医療行為は患者と医師との生の対話といわれるナラティブメディシンである。ナラティブメディシンでおこなう医療行為は病院医療においては実践がされているが、医師が患者宅を訪問する必要のある在宅医療では困難を極めているのが実態である。本発明はこのきわめて困難な課題をすみやかに解決するためにネットセントリックソルージョンシステムをもって解決できる。
【０１７９】
以下、本発明で使用する用語を説明する。
ネットセントリック（Network Centric Solution) とは、意思決定や活動指示の中枢部分を特定せずに一定の権限を現場にて移譲し意思決定の正確さ、迅速性を促す組織体であり、それらを分散するトポロジー形態で行うネットワークを利用した解決方法である。
【０１８０】
ネットセントリック・システム（Network Centric Solution System) とは、ネットセントリックを手段とする機能を有する構成体である。
【０１８１】
個人間情報表示ネットセントリック（Mobile NetCentric Personalization and Publishing, ＭＮＰ）とは、特定個人間の情報コンテンツを断続せずにコンテキスト・アウエアネスとしていつでも、どこでも、使用可能な個人間情報表示を可能とするネットセントリックである。
【０１８２】
デジタル・フォレンジック（Digital Forensics）とは、証拠を収集・保存する証拠情報で訴訟にても有効となる所見等である。
【０１８３】
グローバル・インフォメーション・グリッド（Global Information Grid）とは、ネットセントリックシステムを地球規模にて運用をおこなう人工衛星活用型個別データベースである。
【０１８４】
コンテキスト・アウエアネス（Context Awareness,ＣＡ）とは、Real-ContentsをDigital Web-Contentsへの変質である。
【０１８５】
コンテキスト・アウエアネス・エンジン（Context Awareness Engine,ＣＡE）とは、コンテキスト・アウエアネスを実行する機能である。
【０１８６】
コネクショニスト・アフォーダンス（Connectionist Affordance）とは、自律的学習機能を高めたり、自らのモチベーションを維持することを外部環境からみる方法である。
【０１８７】
コネクショニスト・アフォーダンス・エンジン（Connectionist Affordance engine,ＣＡＦＥ）とは、コネクショニスト・アフォーダンスを実行する機能である。
【０１８８】
カバードサーベランス（Covered Surveillance, ＣＳ）とは、あらかじめ起こると推測されるイベントを一定の範囲の部屋等に感知能力を設置し、その中で起こるであろう予測事項と大幅に異なった事実との違いを好適に見つけ出す前兆発見予知監視機能である。
【０１８９】
カバードサーベランス・エンジン（Covered Surveillance Engine, ＣＳＥ）とは、カバードサーベランスを実行する機能である。
【０１９０】
プレディクテブ・ビヘイビアー・モディフィケーション（Predictive Behavior Modification , ＰＢＭ）とは、予兆の発見（Chance Discovery）から行動変容（Behaviour Modification）のチャンスを発見支援するためのサブシステムである。
【０１９１】
プレディクテブ・ビヘイビアー・モディフィケーション・エンジン（Predictive Behavior Modification Engine, ＰＢＭＥ）とは、プレディクテブ・ビヘイビアー・モディフィケーションを実行する機能である。
【０１９２】
情報ドメイン（Information Domain）とは、ＩＴを生態情報までの領域まで拡張した概念規定である。
【０１９３】
物理ドメイン（Physical Domain）とは、通信手段をグローバル・インフォメーション・グリッドまで拡張した技術概念である。
【０１９４】
認知ドメイン（Cognitive Domain）とは、情報システムに人間が認識できる範囲を規定した概念とその記録とその情報を活用する分野である。
【０１９５】
社会ドメイン（Social Domain）とは、情報システム運用の範囲をそのシステムを活用する地域のヒトまでを包含した社会心理的概念である。
【０１９６】
データ・ウェアハウス（Data warehouse）とは、各分野毎のデータベースを一元化して、プロセス毎に統合データを蓄積するセントラルウエアハウスとエンドユーザコンピューティング（End User Computing, ＥＵＣ）の観点で利用可能なデータベースである。
【０１９７】
データマイニング（Data Mining）とは、データ・ウェアハウスで蓄積したデータ間の相関関係の検出である。
【０１９８】
予兆の発見（Chance Discovery）とは、インターネットなどを通して提供される膨大な情報の中から，利用者の意思決定に重要な機会に予兆情報（predictive information）として検知する知覚である。
【０１９９】
行動変容（Behaviour Modification）とは、他者に対して，情報手段を介して伝達される特定個人に関する情報，およびその伝達行為による不適応行動の修正、例えば食生活の行動変容の場合、食事・運動・メンタル等の活動実績を月毎に記録して、その変化を抽出して適正化の動機付けを行うことである。
【０２００】
サポートベクターマシン（Support Vector Machine,ＳＶＭ）：自律的学習システムをサポートツール開発の手法である。
【０２０１】
コンプライアンスとは、命令事項を間違いなく実践をすることである。
【０２０２】
インターオペラブル・アジリティ（Interoperable Agility, ＩＡ）とは、コンピュータシステムのプログラムが各ノードで相互に俊敏迅速に利用可能を有する相互俊敏情報交換性である。
【０２０３】
シェアード・シュチエーション・アウエアネス（Shared Situational Awareness, ＳＳＡ）とは、必要とする情報をコンテキストに変換し、さらに特定の相手にそのコンテキストを配布し、やる気を促し、注意を喚起する状況共有啓発性開発ツールである。
【０２０４】
セルフ・シンクロナイゼーション（Self Synchronization, ＳＳ）とは、自らが積極的に自律的な学習を促し、そこから得たとこを必要とする相手にも情報共有をし、予兆の発見をするための自己同調達成性開発ツールである。
【０２０５】
異種のシステム（Heterogeneous System）とは、ウインドウズ（Windows）（登録商標）、リナックス（Linux）（登録商標）、ユニックス（UNIX）（登録商標）等異なるプラットフォームである。
【０２０６】
マルチプラットフォームとは、異種間のOS、DB、ソフトを横串に同調させるツールである。
【０２０７】
在宅医療（Home & Community Care, ＨＡＣＣ）とは、各個人の生活拠点を医療あるいは生活習慣病予防策の実践場所とする行為である。
【０２０８】
端末間システム（Edge to Edge System）とは、端末間同士をつなぐシステムであって、更に医療分野に置き換えた場合、末端の医療現場と病院の治療室とデジタル情報で統合したシステムである。
【０２０９】
在宅医療と地域志向健康予防管理システム（Home & Community Care EBO(Effect based Operation）とは、ネットセントリックシステムに組み込まれたコンテキスト・アウエアネス・エンジン（ＣＡE）機能とコネクショニスト・アフォーダンス・エンジン（ＣＡＦＥ）機能とを連携させて、特定個人毎に時間的に連続した医療行為あるいは生活習慣病予防策または健康管理を実施するシステムである。
【図面の簡単な説明】
【０２１０】
【図１】本発明システムのネットセントリックシステムの概略図である。
【図２】グローバル・インフォメーション・グリッドの構成である。
【図３】グローバル・インフォメーション・グリッドと各エンジンの関係を示す。
【図４】本発明のカバードサーベランス・エンジンである。
【図５】本発明のカバードサーベランス・エンジンである。
【図６】本発明のカバードサーベランス・エンジンである。
【図７】本発明の正則データを示す。
【図８】本発明の逆則データを示す。
【図９】本発明の正則データと逆則データの組み合わせである。
【図１０】本発明のコンテキスト・アウエアネス・エンジンである。
【図１１】本発明のコンテキスト・アウエアネス・エンジンである。
【図１２】本発明のコンテキスト・アウエアネス・エンジンである。
【図１３】本発明のコネクショニスト・アフォーダンス・エンジンである。
【図１４】本発明のコネクショニスト・アフォーダンス・エンジンである。
【図１５】本発明のコネクショニスト・アフォーダンス・エンジンである。
【図１６】本発明のセキュリティー・デジタル・フォレンジック・エンジンである。
【図１７】本発明のセキュリティー・デジタル・フォレンジック・エンジンである。
【図１８】本発明のセキュリティー・デジタル・フォレンジック・エンジンである。
【図１９】各データの重要性を加味したプロトコルの組み合わせ図である。
【図２０】セキュリティー・デジタル・フォレンジック・エンジンの説明図である。
【図２１】強いセキュリティーエリアを示す図である。
【図２２】弱いセキュリティーエリアを示す図である。
【図２３】セキュリティーエリアの強弱を示す図である。
【図２４】セキュリティーの説明図である。
【図２５】本発明のセキュリティー・デジタル・フォレンジック・エンジンである。
【図２６】本発明のプレディクテブ・ビヘイビアー・モディフィケーション・エンジンである。
【図２７】本発明のプレディクテブ・ビヘイビアー・モディフィケーション・エンジンである。
【図２８】本発明のプレディクテブ・ビヘイビアー・モディフィケーション・エンジンである。
【図２９】本発明の球体垂直磁化膜記憶部である。
【図３０】本発明の球体垂直磁化膜記憶部の駆動方法である。
【図３１】本発明の球体垂直磁化膜記憶部である。
【図３２】本発明の球体垂直磁化膜記憶部である。
【図３３】本発明の球体垂直磁化膜記憶部である。
【図３４】本発明のメモリーノードである。
【図３５】本発明のメモリーに記録する関係とメモリーユニットの関係を示す。
【図３６】６分割ディスプレイ式携帯端末装置の構造図である。
【図３７】６分割ディスプレイ式携帯端末装置の構造図である。
【図３８】６分割折り紙プリンタ（８６００）の構造図である。
【図３９】シェアード・シュチエーション・アウエアネスのアルゴリズムである。
【図４０】シェアード・シュチエーション・アウエアネスのアルゴリズムである。
【図４１】行動変容にいたるまでの経過プロセスである。
【図４２】本発明のネットセントリックシステムのトポロジーである。
【図４３】図４２と本発明の分散型トポロジーの関係を示す図である。
【図４４】本発明を応用した実施例である。
【図４５】本発明を応用した他の実施例である。
【符号の説明】
【０２１１】
１          ネットセントリックシステム
１０        現実世界コンテンツ入力操作部  
１１        従来のネットワークシステム
１２        既存のデータベース、
７０        球体垂直磁化膜外部記憶部、
１０００    本発明の中核となる技術コア部
１１０１    グローバル・インフォメーション・グリッド、
６００１    カバードサーベランス・エンジン、
４００１    コンテキスト・アウエアネス・エンジン、
５００１    コネクショニスト・アフォーダンス・エンジン、
２００１    セキュリティー・デジタル・フォレンジック・エンジン、
９００１    プレディクテブ・ビヘイビアー・モディフィケーション・エンジン
８０００    ３６０度ウエブカメラ付ロボット、
８３００    ６分割ディスプレイ式携帯端末装置、
８６００    ６分割折り紙プリンタ、
３００１    通常業務管理用D／B
【図１】
2007136010.tif 000006
【図２】
2007136010.tif 000007
【図３】
2007136010.tif 000008
【図４】
2007136010.tif 000009
【図５】
2007136010.tif 000010
【図６】
2007136010.tif 000011
【図７】
2007136010.tif 000012
【図８】
2007136010.tif 000013
【図９】
2007136010.tif 000014
【図１０】
2007136010.tif 000015
【図１１】
2007136010.tif 000016
【図１２】
2007136010.tif 000017
【図１３】
2007136010.tif 000018
【図１４】
2007136010.tif 000019
【図１５】
2007136010.tif 000020
【図１６】
2007136010.tif 000021
【図１７】
2007136010.tif 000022
【図１８】
2007136010.tif 000023
【図１９】
2007136010.tif 000024
【図２０】
2007136010.tif 000025
【図２１】
2007136010.tif 000026
【図２２】
2007136010.tif 000027
【図２３】
2007136010.tif 000028
【図２４】
2007136010.tif 000029
【図２５】
2007136010.tif 000030
【図２６】
2007136010.tif 000031
【図２７】
2007136010.tif 000032
【図２８】
2007136010.tif 000033
【図２９】
2007136010.tif 000034
【図３０】
2007136010.tif 000035
【図３１】
2007136010.tif 000036
【図３２】
2007136010.tif 000037
【図３３】
2007136010.tif 000038
【図３４】
2007136010.tif 000039
【図３５】
2007136010.tif 000040
【図３６】
2007136010.tif 000041
【図３７】
2007136010.tif 000042
【図３８】
2007136010.tif 000043
【図３９】
2007136010.tif 000044
【図４０】
2007136010.tif 000045
【図４１】
2007136010.tif 000046
【図４２】
2007136010.tif 000047
【図４３】
2007136010.tif 000048
【図４４】
2007136010.tif 000049
【図４５】
2007136010.tif 000050
【手続補正書】
【提出日】平成18年2月6日(2006.2.6)
【手続補正１】
【補正対象書類名】明細書
【補正対象項目名】０１２４
【補正方法】変更
【補正の内容】
【０１２４】
【数１】
2007136010.tif 000051
【手続補正２】
【補正対象書類名】明細書
【補正対象項目名】０１６２
【補正方法】変更
【補正の内容】
【０１６２】
図４４の工程（３５０９）は、これらに医者と患者の合議事項が不成立の場合、再度ステップ（３５０２）の問診による診断を再度開始することになる。
【手続補正３】
【補正対象書類名】明細書
【補正対象項目名】０１６３
【補正方法】変更
【補正の内容】
【０１６３】
図４４のステップ（３５１４）は、ステップ（３５１６）のプレディクティブビヘイビアモディフィケーション・エンジンに通じる工程である。ステップ（３５１６）はプレディクティブビヘイビアモディフィケーション・エンジン（９００１）を示している。虚血性心疾患病患者の大方は行動変容教育が必要であり、従来からあるシステムはこの内容でのサポートシステムは存在していない。虚血性心疾患の患者がいかにしてみずからが進んで毎日の生活のなかから、自らの予兆を発見することが可能となるように、いかにして行動変容へのチャンス発見につなげるのがよいのかを生み出す仕組みである。
【手続補正４】
【補正対象書類名】明細書
【補正対象項目名】０１７４
【補正方法】変更
【補正の内容】
【０１７４】
図４５のステップ（３５６１）はこれらに医者と患者の合議事項が不成立の場合は再度ステップ（３５５０）の問診による診断を再度開始することになる。ステップ（３５６１）はその戻りのルートである。
【手続補正５】
【補正対象書類名】明細書
【補正対象項目名】０１７６
【補正方法】変更
【補正の内容】
【０１７６】
図４５にあるステップ（３５６４）は、グローバル・インフォメーション・グリッド（１１０１）を示しており、II型糖尿病患者はグローバル・インフォメーション・グリッドを介して国際糖尿病機構（International Diabetes Federation）とのリンクもできるようにしてある。２０２０年には全世界の糖尿病患者は約３億人にも増加すると予測されており、その中心が日本はじめＵＳＡ，ＥＵの増加傾向より多くなりはじめている。ステップ（３５６３）は、ステップ（３５６４）へいたるまでの工程である。
【手続補正６】
【補正対象書類名】図面
【補正対象項目名】図４４
【補正方法】変更
【補正の内容】
【図４４】
2007136010.tif 000052
【手続補正７】
【補正対象書類名】図面
【補正対象項目名】図４５
【補正方法】変更
【補正の内容】
【図４５】
2007136010.tif 000053